(57)【特許請求の範囲】
【請求項１】
表示部と、
複数の回転式の操作ダイヤルと、
各前記操作ダイヤルへの指の接触又は近接を検出する検出部と、
前記表示部の表示を制御する表示制御部と、
を備え、
前記表示制御部は、各前記操作ダイヤルのイメージ画像を互いに重なり合う位置に表示し、かつ、前記検出部の検出結果に基づいて、各前記操作ダイヤルの前記イメージ画像を重ね合わせる順番を切り替え、接触又は近接が検出された前記操作ダイヤルの前記イメージ画像を前面に表示する、
カメラ。
【請求項２】
前記表示制御部は、前記検出部で接触又は近接が検出されている場合と、前記検出部で接触又は近接が検出されていない場合とで、前面に表示する前記操作ダイヤルの前記イメージ画像の表示形態を切り替える、
請求項１に記載のカメラ。
【請求項３】
前記表示制御部は、前記検出部で接触又は近接が検出されている場合、前記操作ダイヤルで設定可能な設定値を文字盤部分に並べて表示した形態で前記イメージ画像を表示し、前記検出部で接触又は近接が検出されていない場合、現在の設定値のみを文字盤部分に表示した形態で前記イメージ画像を表示する、
請求項２に記載のカメラ。
【請求項４】
前記表示制御部は、前記操作ダイヤルで設定可能な設定値を文字盤部分に並べて表示する場合において、前記操作ダイヤルで設定可能な設定値を前記イメージ画像の外形を画定する円弧に沿って並べて表示する、
請求項３に記載のカメラ。
【請求項５】
前記表示制御部は、前記イメージ画像が最前面に表示される前記操作ダイヤル以外の前記操作ダイヤルに関して、現在の設定値のみを文字盤部分に表示した形態で前記イメージ画像を表示する、
請求項１から４のいずれか１項に記載のカメラ。
【請求項６】
前記表示制御部は、他の前記操作ダイヤルの前記イメージ画像が重ねられる領域を避けて現在の設定値を文字盤部分に表示する、
請求項５に記載のカメラ。
【請求項７】
前記表示制御部は、前記イメージ画像が最前面に表示される前記操作ダイヤル以外の前記操作ダイヤルの設定値を前記表示部の余白領域に表示する、
請求項１から６のいずれか１項に記載のカメラ。
【請求項８】
前記操作ダイヤルを３つ以上備える場合において、
前記表示制御部は、少なくとも１つの前記操作ダイヤルの前記イメージ画像を固定して表示する、
請求項１から７のいずれか１項に記載のカメラ。
【請求項９】
前記表示制御部は、固定して表示する前記操作ダイヤルの前記イメージ画像を最前面に表示する、
請求項８に記載のカメラ。
【請求項１０】
表示部と、
複数の回転式の操作ダイヤルと、
前記表示部の表示を制御する表示制御部と、
を備え、
前記表示制御部は、各前記操作ダイヤルのイメージ画像を互いに重なり合う位置に表示し、かつ、各前記操作ダイヤルの操作に基づいて、各前記操作ダイヤルの前記イメージ画像を重ね合わせる順番を切り替え、操作された前記操作ダイヤルの前記イメージ画像を前面に表示する、
カメラ。
【請求項１１】
前記表示制御部は、前記操作ダイヤルが操作されている場合と、前記操作ダイヤルが操作されていない場合とで、前面に表示する前記操作ダイヤルの前記イメージ画像の表示形態を切り替える、
請求項１０に記載のカメラ。
【請求項１２】
前記表示制御部は、前記操作ダイヤルが操作されている場合、前記操作ダイヤルで設定可能な設定値を文字盤部分に並べて表示した形態で前記イメージ画像を表示し、前記操作ダイヤルが操作されていない場合、現在の設定値のみを文字盤部分に表示した形態で前記イメージ画像を表示する、
請求項１１に記載のカメラ。
【請求項１３】
前記表示制御部は、前記操作ダイヤルで設定可能な設定値を文字盤部分に並べて表示する場合において、前記操作ダイヤルで設定可能な設定値を前記イメージ画像の外形を画定する円弧に沿って並べて表示する、
請求項１２に記載のカメラ。
【請求項１４】
前記表示制御部は、前記イメージ画像が最前面に表示される前記操作ダイヤル以外の前記操作ダイヤルに関して、現在の設定値のみを文字盤部分に表示した形態で前記イメージ画像を表示する、
請求項１０から１３のいずれか１項に記載のカメラ。
【請求項１５】
前記表示制御部は、他の前記操作ダイヤルの前記イメージ画像が重ねられる領域を避けて現在の設定値を文字盤部分に表示する、
請求項１４に記載のカメラ。
【請求項１６】
前記表示制御部は、前記イメージ画像が最前面に表示される前記操作ダイヤル以外の前記操作ダイヤルの設定値を前記表示部の余白領域に表示する、
請求項１０から１５のいずれか１項に記載のカメラ。
【請求項１７】
前記操作ダイヤルを３つ以上備える場合において、
前記表示制御部は、少なくとも１つの前記操作ダイヤルの前記イメージ画像を固定して表示する、
請求項１０から１６のいずれか１項に記載のカメラ。
【請求項１８】
前記表示制御部は、固定して表示する前記操作ダイヤルの前記イメージ画像を最前面に表示する、
請求項１７に記載のカメラ。
【請求項１９】
表示部と、
複数の回転式の操作ダイヤルと、
各前記操作ダイヤルへの指の接触又は近接を検出する検出部と、
前記表示部の表示を制御する表示制御部と、
を備え、
前記表示制御部は、各前記操作ダイヤルのイメージ画像を互いに重なり合う位置に表示し、前記検出部で接触又は近接が検出されていない場合は、互いに重なり合う領域で分割して各前記操作ダイヤルの前記イメージ画像を表示し、前記検出部で接触又は近接が検出されている場合は、各前記操作ダイヤルの前記イメージ画像を互いに重ねて表示し、かつ、接触又は近接が検出されている前記操作ダイヤルの前記イメージ画像を前面に表示する、
カメラ。
【請求項２０】
前記表示制御部は、前記検出部で接触又は近接が検出されている場合、前記イメージ画像が最前面に表示される前記操作ダイヤル以外の前記操作ダイヤルの設定値を前記表示部の余白領域に表示する、
請求項１９に記載のカメラ。
【請求項２１】
前記操作ダイヤルを３つ以上備える場合において、
前記表示制御部は、各前記操作ダイヤルの前記イメージ画像を互いに重ねて表示する場合、少なくとも１つの前記操作ダイヤルの前記イメージ画像を固定して表示する、
請求項１９又は２０に記載のカメラ。
【請求項２２】
前記表示制御部は、固定して表示する前記操作ダイヤルの前記イメージ画像を最前面に表示する、
請求項２１に記載のカメラ。
【請求項２３】
前記表示制御部は、各前記操作ダイヤルの前記イメージ画像を互いに重ねて表示する場合、前記イメージ画像が最前面に表示される前記操作ダイヤル以外の前記操作ダイヤルに関して、現在の設定値のみを文字盤部分に表示した形態で前記イメージ画像を表示する、
請求項１９から２２のいずれか１項に記載のカメラ。
【請求項２４】
前記表示制御部は、他の前記操作ダイヤルの前記イメージ画像が重ねられる領域を避けて現在の設定値を文字盤部分に表示する、
請求項２３に記載のカメラ。
【請求項２５】
表示部と、
複数の回転式の操作ダイヤルと、
前記表示部の表示を制御する表示制御部と、
を備え、
前記表示制御部は、各前記操作ダイヤルのイメージ画像を互いに重なり合う位置に表示し、前記操作ダイヤルが操作されていない場合は、互いに重なり合う領域で分割して各前記操作ダイヤルの前記イメージ画像を表示し、前記操作ダイヤルが操作されている場合は、各前記操作ダイヤルの前記イメージ画像を互いに重ねて表示し、かつ、操作されている前記操作ダイヤルの前記イメージ画像を前面に表示する、
カメラ。
【請求項２６】
前記表示制御部は、前記操作ダイヤルが操作されている場合、前記イメージ画像が最前面に表示される前記操作ダイヤル以外の前記操作ダイヤルの設定値を前記表示部の余白領域に表示する、
請求項２５に記載のカメラ。
【請求項２７】
前記操作ダイヤルを３つ以上備える場合において、
前記表示制御部は、各前記操作ダイヤルの前記イメージ画像を互いに重ねて表示する場合、少なくとも１つの前記操作ダイヤルの前記イメージ画像を固定して表示する、
請求項２５又は２６に記載のカメラ。
【請求項２８】
前記表示制御部は、固定して表示する前記操作ダイヤルの前記イメージ画像を最前面に表示する、
請求項２７に記載のカメラ。
【請求項２９】
前記表示制御部は、各前記操作ダイヤルの前記イメージ画像を互いに重ねて表示する場合、前記イメージ画像が最前面に表示される前記操作ダイヤル以外の前記操作ダイヤルに関して、現在の設定値のみを文字盤部分に表示した形態で前記イメージ画像を表示する、
請求項２５から２８のいずれか１項に記載のカメラ。
【請求項３０】
前記表示制御部は、他の前記操作ダイヤルの前記イメージ画像が重ねられる領域を避けて現在の設定値を文字盤部分に表示する、
請求項２９に記載のカメラ。
【請求項３１】
前記表示部は、カメラボディの天面に備えられ、
複数の前記操作ダイヤルは、前記表示部の近傍に備えられる、
請求項１から３０のいずれか１項に記載のカメラ。
【請求項３２】
複数備えられた各操作ダイヤルのイメージ画像を互いに重ねて表示部に表示し、
各前記操作ダイヤルへの指の接触又は近接を検出し、
検出結果に基づいて、各前記操作ダイヤルの前記イメージ画像を重ね合わせる順番を切り替え、接触又は近接が検出された前記操作ダイヤルの前記イメージ画像を前面に表示する、
カメラの表示制御方法。
【請求項３３】
複数備えられた各操作ダイヤルのイメージ画像を互いに重ねて表示部に表示し、
前記操作ダイヤルの操作に基づいて、各前記操作ダイヤルの前記イメージ画像を重ね合わせる順番を切り替え、操作された前記操作ダイヤルの前記イメージ画像を前面に表示する、
カメラの表示制御方法。
【請求項３４】
複数備えられた各操作ダイヤルのイメージ画像を互いに重なり合う位置で表示部に表示し、
各前記操作ダイヤルへの指の接触又は近接が検出されていない場合は、互いに重なり合う領域で分割して各前記操作ダイヤルの前記イメージ画像を表示し、
前記操作ダイヤルへの指の接触又は近接が検出されている場合は、各前記操作ダイヤルの前記イメージ画像を互いに重ねて表示し、かつ、接触又は近接が検出されている前記操作ダイヤルの前記イメージ画像を前面に表示する、
カメラの表示制御方法。
【請求項３５】
複数備えられた各操作ダイヤルのイメージ画像を互いに重なり合う位置で表示部に表示し、
前記操作ダイヤルが操作されていない場合は、互いに重なり合う領域で分割して各前記操作ダイヤルの前記イメージ画像を表示し、
前記操作ダイヤルが操作されている場合は、各前記操作ダイヤルの前記イメージ画像を互いに重ねて表示し、かつ、操作されている前記操作ダイヤルの前記イメージ画像を前面に表示する、
カメラの表示制御方法。
【請求項３６】
複数備えられた各操作ダイヤルのイメージ画像を互いに重ねて表示部に表示する機能と、
各前記操作ダイヤルへの指の接触又は近接を検出する検出部の検出結果に基づいて、各前記操作ダイヤルの前記イメージ画像を重ね合わせる順番を切り替え、接触又は近接が検出された前記操作ダイヤルの前記イメージ画像を前面に表示する機能と、
をコンピューターに実現させるカメラの表示制御プログラム。
【請求項３７】
複数備えられた各操作ダイヤルのイメージ画像を互いに重ねて表示部に表示する機能と、
前記操作ダイヤルの操作に基づいて、各前記操作ダイヤルの前記イメージ画像を重ね合わせる順番を切り替え、操作された前記操作ダイヤルの前記イメージ画像を前面に表示する機能と、
をコンピューターに実現させるカメラの表示制御プログラム。
【請求項３８】
複数備えられた各操作ダイヤルのイメージ画像を互いに重なり合う位置で表示部に表示する機能と、
各前記操作ダイヤルへの指の接触又は近接を検出する検出部の検出結果に基づいて、各前記操作ダイヤルの前記イメージ画像の表示を制御する機能であって、各前記操作ダイヤルへの指の接触又は近接が検出されていない場合は、互いに重なり合う領域で分割して各前記操作ダイヤルの前記イメージ画像を表示し、前記操作ダイヤルへの指の接触又は近接が検出されている場合は、各前記操作ダイヤルの前記イメージ画像を互いに重ねて表示し、かつ、接触又は近接が検出されている前記操作ダイヤルの前記イメージ画像を前面に表示する機能と、
をコンピューターに実現させるカメラの表示制御プログラム。
【請求項３９】
複数備えられた各操作ダイヤルのイメージ画像を互いに重なり合う位置で表示部に表示する機能と、
前記操作ダイヤルの操作に基づいて、各前記操作ダイヤルの前記イメージ画像の表示を制御する機能であって、前記操作ダイヤルが操作されていない場合は、互いに重なり合う領域で分割して各前記操作ダイヤルの前記イメージ画像を表示し、前記操作ダイヤルが操作されている場合は、各前記操作ダイヤルの前記イメージ画像を互いに重ねて表示し、かつ、操作されている前記操作ダイヤルの前記イメージ画像を前面に表示する機能と、
をコンピューターに実現させるカメラの表示制御プログラム。
【発明の詳細な説明】
【技術分野】
【０００１】
本発明は、回転式の操作ダイヤルを使用して各種設定を行うカメラ、カメラの表示制御方法、及び、カメラの表示制御プログラムに関する。
【背景技術】
【０００２】
回転式の操作ダイヤルを使用して各種設定を行うカメラが知られている。【０００３】
たとえば、特許文献１には、回転式の操作ダイヤルと表示部とを組み合わせて使用し、各種設定を行うカメラが記載されている。【０００４】
また、特許文献２には、操作ダイヤルへの接触が検出されると、その操作ダイヤルのイメージ画像が表示部に表示されるカメラが記載されている。
【先行技術文献】
【特許文献】
【０００５】
【特許文献１】特開平08-076225号公報
【特許文献２】国際公開第2014/002659号
【発明の概要】
【発明が解決しようとする課題】
【０００６】
ところで、カメラには、複数の操作ダイヤルが備えられる場合がある。このような場合に操作ダイヤルごとに表示部を備えると、部品点数が増加し、かつ、カメラも大型化する、という欠点がある。一方、一つの表示部を複数の操作ダイヤルで共用すると、表示部の表示が繁雑になり、視認性及び操作性が低下する、という問題がある。そして、この問題を解消するために大きな表示部を使用すると、カメラが大型化する、という欠点がある。【０００７】
本発明は、このような事情に鑑みてなされたもので、コンパクトな構成で視認性及び操作性のよいカメラ、カメラの表示制御方法、及び、カメラの表示制御プログラムを提供することを目的とする。
【課題を解決するための手段】
【０００８】
上記課題を解決するための手段は、次のとおりである。【０００９】
（１）表示部と、複数の回転式の操作ダイヤルと、各操作ダイヤルへの指の接触又は近接を検出する検出部と、表示部の表示を制御する表示制御部と、を備え、表示制御部は、各操作ダイヤルのイメージ画像を互いに重なり合う位置に表示し、かつ、検出部の検出結果に基づいて、各操作ダイヤルのイメージ画像を重ね合わせる順番を切り替え、接触又は近接が検出された操作ダイヤルのイメージ画像を前面に表示する、カメラ。【００１０】
本態様によれば、表示部に各操作ダイヤルのイメージ画像が表示される。各操作ダイヤルのイメージ画像は、互いに重なり合う位置に表示される。そして、その重ね合わせる順番が、実際の操作ダイヤルへの指の接触又は近接の検出結果に基づいて制御される。すなわち、指の接触又は近接が検出された操作ダイヤルのイメージ画像が、前面に表示されるように制御される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。【００１１】
（２）表示制御部は、検出部で接触又は近接が検出されている場合と、検出部で接触又は近接が検出されていない場合とで、前面に表示する操作ダイヤルのイメージ画像の表示形態を切り替える、上記（１）のカメラ。【００１２】
本態様によれば、操作ダイヤルへの指の接触又は近接が検出されている場合と検出されていない場合とで、前面に表示する操作ダイヤルのイメージ画像の表示形態が切り替えられる。これにより、設定の変更中か否かを表示部の表示から容易に確認できる。【００１３】
（３）表示制御部は、検出部で接触又は近接が検出されている場合、操作ダイヤルで設定可能な設定値を文字盤部分に並べて表示した形態でイメージ画像を表示し、検出部で接触又は近接が検出されていない場合、現在の設定値のみを文字盤部分に表示した形態でイメージ画像を表示する、上記（２）のカメラ。【００１４】
本態様によれば、操作ダイヤルへの指の接触又は近接が検出されている場合、操作ダイヤルで設定可能な設定値を文字盤部分に並べて表示した形態でイメージ画像が表示される。一方、操作ダイヤルへの指の接触又は近接が検出されていない場合、現在の設定値のみを文字盤部分に表示した形態でイメージ画像が表示される。これにより、設定の変更中か否かを表示部の表示から確認できる。また、設定変更中は、設定可能な設定値が文字盤部分に並べられて表示されるため、どのような設定値を設定できるか容易に把握できる。一方、設定変更中ではない場合は、現在の設定値のみが文字盤部分に表示されるため、現在の設定値を容易に確認できる。これにより、より良好な操作性を提供できる。【００１５】
（４）表示制御部は、操作ダイヤルで設定可能な設定値を文字盤部分に並べて表示する場合において、操作ダイヤルで設定可能な設定値をイメージ画像の外形を画定する円弧に沿って並べて表示する、上記（３）のカメラ。【００１６】
本態様によれば、操作ダイヤルで設定可能な設定値を文字盤部分に並べて表示する際、操作ダイヤルで設定可能な設定値が、イメージ画像の外形を画定する円弧に沿って並べられて表示される。たとえば、一般的な操作ダイヤルの文字盤部分に表示される数値のように、一定の間隔で円弧状に並べられて表示される。これにより、設定値を見やすく表示できる。【００１７】
（５）表示制御部は、イメージ画像が最前面に表示される操作ダイヤル以外の操作ダイヤルに関して、現在の設定値のみを文字盤部分に表示した形態でイメージ画像を表示する、上記（１）から（４）のいずれか一のカメラ。【００１８】
本態様によれば、イメージ画像が最前面に表示される操作ダイヤル以外の操作ダイヤルは、現在の設定値のみが、文字盤部分に表示された形態でイメージ画像が表示される。すなわち、下に隠れて表示されるイメージ画像は、文字盤部分に現在の設定値のみが表示された形態で表示される。これにより、現在の設定を確認しやすくできる。【００１９】
（６）表示制御部は、他の操作ダイヤルのイメージ画像が重ねられる領域を避けて現在の設定値を文字盤部分に表示する、上記（５）のカメラ。【００２０】
本態様によれば、他の操作ダイヤルのイメージ画像が上に重ねて表示される場合において、重ねられる領域を避けて現在の設定値が表示される。すなわち、文字盤部分の視認可能な領域（他の操作ダイヤルが重ならない領域）に現在の設定値が表示される。これにより、現在の設定値をより確認しやすくできる。【００２１】
（７）表示制御部は、イメージ画像が最前面に表示される操作ダイヤル以外の操作ダイヤルの設定値を表示部の余白領域に表示する、上記（１）から（６）のいずれか一のカメラ。【００２２】
本態様によれば、イメージ画像が最前面に表示される操作ダイヤル以外の操作ダイヤルの設定値が、表示部の余白領域に表示される。これにより、イメージ画像が下に隠れた操作ダイヤルの設定値を確認でき、更に良好な操作性を提供できる。【００２３】
（８）操作ダイヤルを３つ以上備える場合において、表示制御部は、少なくとも１つの操作ダイヤルのイメージ画像を固定して表示する、上記（１）から（７）のいずれか一のカメラ。【００２４】
本態様によれば、操作ダイヤルが３つ以上備えられる場合、少なくとも１つの操作ダイヤルのイメージ画像が固定して表示される。この場合、当該操作ダイヤルのイメージ画像は、重ねる順番の切り替えの対象から除外される。操作ダイヤルのレイアウトによっては、固定した方が見やすい場合もあるので、そのような場合は、重ねる順番の切り替えの対象から除外される。この場合、残された操作ダイヤルのイメージ画像で重ねる順番の切り替えが行われる。たとえば、操作ダイヤルを３つ備える場合において、１つのイメージ画像を固定する場合、残り２つの操作ダイヤルのイメージ画像で重ねる順番の切り替えを行う。【００２５】
（９）表示制御部は、固定して表示する操作ダイヤルのイメージ画像を最前面に表示する、上記（８）のカメラ。【００２６】
本態様によれば、操作ダイヤルの１つのイメージ画像を固定する場合、その固定して表示する操作ダイヤルのイメージ画像を最前面に表示する。これにより、特定の操作ダイヤルのイメージ画像の視認性を向上できる。【００２７】
（１０）表示部と、複数の回転式の操作ダイヤルと、表示部の表示を制御する表示制御部と、を備え、表示制御部は、各操作ダイヤルのイメージ画像を互いに重なり合う位置に表示し、かつ、各操作ダイヤルの操作に基づいて、各操作ダイヤルのイメージ画像を重ね合わせる順番を切り替え、操作された操作ダイヤルのイメージ画像を前面に表示する、カメラ。【００２８】
本態様によれば、表示部に各操作ダイヤルのイメージ画像が表示される。各操作ダイヤルのイメージ画像は、互いに重なり合う位置に表示される。そして、その重ね合わせる順番が、実際の操作ダイヤルの操作に基づいて、制御される。すなわち、操作された操作ダイヤルのイメージ画像が、前面に表示されるように制御される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。【００２９】
（１１）表示制御部は、操作ダイヤルが操作されている場合と、操作ダイヤルが操作されていない場合とで、前面に表示する操作ダイヤルのイメージ画像の表示形態を切り替える、上記（１０）のカメラ。【００３０】
本態様によれば、操作ダイヤルが操作されている場合と操作されていない場合とで、前面に表示する操作ダイヤルのイメージ画像の表示形態が切り替えられる。これにより、設定の変更中か否かを表示部の表示から確認できる。【００３１】
（１２）表示制御部は、操作ダイヤルが操作されている場合、操作ダイヤルで設定可能な設定値を文字盤部分に並べて表示した形態でイメージ画像を表示し、操作ダイヤルが操作されていない場合、現在の設定値のみを文字盤部分に表示した形態でイメージ画像を表示する、上記（１１）のカメラ。【００３２】
本態様によれば、操作ダイヤルが操作されている場合、操作ダイヤルで設定可能な設定値を文字盤部分に並べて表示した形態でイメージ画像が表示される。一方、操作ダイヤルが操作されていない場合、現在の設定値のみを文字盤部分に表示した形態でイメージ画像が表示される。これにより、設定の変更中か否かを表示部の表示から確認できる。また、設定変更中は、設定可能な設定値が文字盤部分に並べられて表示されるため、どのような設定値を設定できるか容易に把握できる。一方、設定変更中ではない場合は、現在の設定値のみが文字盤部分に表示されるため、現在の設定値を容易に確認できる。これにより、より良好な操作性を提供できる。【００３３】
（１３）表示制御部は、操作ダイヤルで設定可能な設定値を文字盤部分に並べて表示する場合において、操作ダイヤルで設定可能な設定値をイメージ画像の外形を画定する円弧に沿って並べて表示する、上記（１２）のカメラ。【００３４】
本態様によれば、操作ダイヤルで設定可能な設定値を文字盤部分に並べて表示する際、操作ダイヤルで設定可能な設定値が、イメージ画像の外形を画定する円弧に沿って並べられて表示される。たとえば、一般的な操作ダイヤルの文字盤部分に表示される数値のように、一定の間隔で円弧状に並べられて表示される。これにより、設定値を見やすく表示できる。【００３５】
（１４）表示制御部は、イメージ画像が最前面に表示される操作ダイヤル以外の操作ダイヤルに関して、現在の設定値のみを文字盤部分に表示した形態でイメージ画像を表示する、上記（１０）から（１３）のいずれか一のカメラ。【００３６】
本態様によれば、イメージ画像が最前面に表示される操作ダイヤル以外の操作ダイヤルは、現在の設定値のみが、文字盤部分に表示された形態でイメージ画像が表示される。すなわち、下に隠れて表示されるイメージ画像は、文字盤部分に現在の設定値のみが表示された形態で表示される。これにより、現在の設定を確認しやすくできる。【００３７】
（１５）表示制御部は、他の操作ダイヤルのイメージ画像が重ねられる領域を避けて現在の設定値を文字盤部分に表示する、上記（１４）のカメラ。【００３８】
本態様によれば、他の操作ダイヤルのイメージ画像が上に重ねて表示される場合において、重ねられる領域を避けて現在の設定値が表示される。すなわち、文字盤部分の視認可能な領域（他の操作ダイヤルが重ならない領域）に現在の設定値が表示される。これにより、現在の設定値をより確認しやすくできる。【００３９】
（１６）表示制御部は、イメージ画像が最前面に表示される操作ダイヤル以外の操作ダイヤルの設定値を表示部の余白領域に表示する、上記（１０）から（１５）のいずれか一のカメラ。【００４０】
本態様によれば、イメージ画像が最前面に表示される操作ダイヤル以外の操作ダイヤルの設定値が、表示部の余白領域に表示される。これにより、イメージ画像が下に隠れた操作ダイヤルの設定値を確認でき、更に良好な操作性を提供できる。【００４１】
（１７）操作ダイヤルを３つ以上備える場合において、表示制御部は、少なくとも１つの操作ダイヤルのイメージ画像を固定して表示する、上記（１０）から（１６）のいずれか一のカメラ。【００４２】
本態様によれば、操作ダイヤルが３つ以上備えられる場合、少なくとも１つの操作ダイヤルのイメージ画像が固定して表示される。この場合、当該操作ダイヤルのイメージ画像は、重ねる順番の切り替えの対象から除外される。操作ダイヤルのレイアウトによっては、固定した方が見やすい場合もあるので、そのような場合は、重ねる順番の切り替えの対象から除外される。この場合、残された操作ダイヤルのイメージ画像で重ねる順番の切り替えが行われる。たとえば、操作ダイヤルを３つ備える場合において、１つのイメージ画像を固定する場合、残り２つの操作ダイヤルのイメージ画像で重ねる順番の切り替えを行う。【００４３】
（１８）表示制御部は、固定して表示する操作ダイヤルのイメージ画像を最前面に表示する、上記（１７）のカメラ。【００４４】
本態様によれば、操作ダイヤルの１つのイメージ画像を固定する場合、その固定して表示する操作ダイヤルのイメージ画像を最前面に表示する。これにより、特定の操作ダイヤルのイメージ画像の視認性を向上できる。【００４５】
（１９）表示部と、複数の回転式の操作ダイヤルと、各操作ダイヤルへの指の接触又は近接を検出する検出部と、表示部の表示を制御する表示制御部と、を備え、表示制御部は、各操作ダイヤルのイメージ画像を互いに重なり合う位置に表示し、検出部で接触又は近接が検出されていない場合は、互いに重なり合う領域で分割して各操作ダイヤルのイメージ画像を表示し、検出部で接触又は近接が検出されている場合は、各操作ダイヤルのイメージ画像を互いに重ねて表示し、かつ、接触又は近接が検出されている操作ダイヤルのイメージ画像を前面に表示する、カメラ。【００４６】
本態様によれば、表示部に各操作ダイヤルのイメージ画像が表示される。各操作ダイヤルのイメージ画像は、互いに重なり合う位置に表示される。各操作ダイヤルのイメージ画像は、検出部で指の接触又は近接が検出されていない場合、互いに重なり合う領域で分割して表示される。すなわち、互いに重ならないように、境界線が設定されて、その境界線で分割して表示される。一方、検出部で指の接触又は近接が検出されている場合、各操作ダイヤルのイメージ画像は、互いに重ねて表示される。この際、接触又は近接が検出された操作ダイヤルのイメージ画像が前面に表示される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。また、操作ダイヤルへの指の接触又は近接が検出されている場合と検出されていない場合とで、各操作ダイヤルのイメージ画像の表示形態が切り替わるので、設定の変更中か否かを表示部の表示から容易に確認できる。
【００４７】
（２０）表示制御部は、検出部で接触又は近接が検出されている場合、イメージ画像が最前面に表示される操作ダイヤル以外の操作ダイヤルの設定値を表示部の余白領域に表示する、上記（１９）のカメラ。【００４８】
本態様によれば、検出部で接触又は近接が検出されている場合、イメージ画像が最前面に表示される操作ダイヤル以外の操作ダイヤルの設定値が、表示部の余白領域に表示される。これにより、イメージ画像が下に隠れた操作ダイヤルの設定値を確認でき、更に良好な操作性を提供できる。【００４９】
（２１）操作ダイヤルを３つ以上備える場合において、表示制御部は、各操作ダイヤルのイメージ画像を互いに重ねて表示する場合、少なくとも１つの操作ダイヤルのイメージ画像を固定して表示する、上記（１９）又は（２０）のカメラ。【００５０】
本態様によれば、操作ダイヤルが３つ以上備えられる場合、少なくとも１つの操作ダイヤルのイメージ画像が固定して表示される。この場合、当該操作ダイヤルのイメージ画像は、重ねる順番の切り替えの対象から除外される。操作ダイヤルのレイアウトによっては、固定した方が見やすい場合もあるので、そのような場合は、重ねる順番の切り替えの対象から除外される。この場合、残された操作ダイヤルのイメージ画像で重ねる順番の切り替えが行われる。たとえば、操作ダイヤルを３つ備える場合において、１つのイメージ画像を固定する場合、残り２つの操作ダイヤルのイメージ画像で重ねる順番の切り替えを行う。【００５１】
（２２）表示制御部は、固定して表示する操作ダイヤルのイメージ画像を最前面に表示する、上記（２１）のカメラ。【００５２】
本態様によれば、操作ダイヤルの１つのイメージ画像を固定する場合、その固定して表示する操作ダイヤルのイメージ画像を最前面に表示する。これにより、特定の操作ダイヤルのイメージ画像の視認性を向上できる。【００５３】
（２３）表示制御部は、各操作ダイヤルのイメージ画像を互いに重ねて表示する場合、イメージ画像が最前面に表示される操作ダイヤル以外の操作ダイヤルに関して、現在の設定値のみを文字盤部分に表示した形態でイメージ画像を表示する、上記（１９）から（２２）のいずれか一のカメラ。【００５４】
本態様によれば、イメージ画像が最前面に表示される操作ダイヤル以外の操作ダイヤルは、現在の設定値のみが、文字盤部分に表示された形態でイメージ画像が表示される。すなわち、下に隠れて表示されるイメージ画像は、文字盤部分に現在の設定値のみが表示された形態で表示される。これにより、現在の設定を確認しやすくできる。【００５５】
（２４）表示制御部は、他の操作ダイヤルのイメージ画像が重ねられる領域を避けて現在の設定値を文字盤部分に表示する、上記（２３）のカメラ。【００５６】
本態様によれば、他の操作ダイヤルのイメージ画像が上に重ねて表示される場合において、重ねられる領域を避けて現在の設定値が表示される。すなわち、文字盤部分の視認可能な領域（他の操作ダイヤルが重ならない領域）に現在の設定値が表示される。これにより、現在の設定値をより確認しやすくできる。【００５７】
（２５）表示部と、複数の回転式の操作ダイヤルと、表示部の表示を制御する表示制御部と、を備え、表示制御部は、各操作ダイヤルのイメージ画像を互いに重なり合う位置に表示し、操作ダイヤルが操作されていない場合は、互いに重なり合う領域で分割して各操作ダイヤルのイメージ画像を表示し、操作ダイヤルが操作されている場合は、各操作ダイヤルのイメージ画像を互いに重ねて表示し、かつ、操作されている操作ダイヤルのイメージ画像を前面に表示する、カメラ。【００５８】
本態様によれば、表示部に各操作ダイヤルのイメージ画像が表示される。各操作ダイヤルのイメージ画像は、互いに重なり合う位置に表示される。各操作ダイヤルのイメージ画像は、操作ダイヤルが操作されていない場合、互いに重なり合う領域で分割して表示される。一方、操作ダイヤルが操作されている場合、各操作ダイヤルのイメージ画像は、互いに重ねて表示される。この際、操作された操作ダイヤルのイメージ画像が前面に表示される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。また、操作ダイヤルが操作されている場合と操作されていない場合とで、各操作ダイヤルのイメージ画像の表示形態が切り替わるので、設定の変更中か否かを表示部の表示から容易に確認できる。
【００５９】
（２６）表示制御部は、操作ダイヤルが操作されている場合、イメージ画像が最前面に表示される操作ダイヤル以外の操作ダイヤルの設定値を表示部の余白領域に表示する、上記（２５）のカメラ。【００６０】
本態様によれば、操作ダイヤルが操作されている場合、イメージ画像が最前面に表示される操作ダイヤル以外の操作ダイヤルの設定値が、表示部の余白領域に表示される。これにより、イメージ画像が下に隠れた操作ダイヤルの設定値を確認でき、更に良好な操作性を提供できる。【００６１】
（２７）操作ダイヤルを３つ以上備える場合において、表示制御部は、各操作ダイヤルのイメージ画像を互いに重ねて表示する場合、少なくとも１つの操作ダイヤルのイメージ画像を固定して表示する、上記（２５）又は（２６）のカメラ。【００６２】
本態様によれば、操作ダイヤルが３つ以上備えられる場合、少なくとも１つの操作ダイヤルのイメージ画像が固定して表示される。この場合、当該操作ダイヤルのイメージ画像は、重ねる順番の切り替えの対象から除外される。操作ダイヤルのレイアウトによっては、固定した方が見やすい場合もあるので、そのような場合は、重ねる順番の切り替えの対象から除外される。この場合、残された操作ダイヤルのイメージ画像で重ねる順番の切り替えが行われる。たとえば、操作ダイヤルを３つ備える場合において、１つのイメージ画像を固定する場合、残り２つの操作ダイヤルのイメージ画像で重ねる順番の切り替えを行う。【００６３】
（２８）表示制御部は、固定して表示する操作ダイヤルのイメージ画像を最前面に表示する、上記（２７）のカメラ。【００６４】
本態様によれば、操作ダイヤルの１つのイメージ画像を固定する場合、その固定して表示する操作ダイヤルのイメージ画像を最前面に表示する。これにより、特定の操作ダイヤルのイメージ画像の視認性を向上できる。【００６５】
（２９）表示制御部は、各操作ダイヤルのイメージ画像を互いに重ねて表示する場合、イメージ画像が最前面に表示される操作ダイヤル以外の操作ダイヤルに関して、現在の設定値のみを文字盤部分に表示した形態でイメージ画像を表示する、上記（２５）から（２８）のいずれか一のカメラ。【００６６】
本態様によれば、イメージ画像が最前面に表示される操作ダイヤル以外の操作ダイヤルは、現在の設定値のみが、文字盤部分に表示された形態でイメージ画像が表示される。すなわち、下に隠れて表示されるイメージ画像は、文字盤部分に現在の設定値のみが表示された形態で表示される。これにより、現在の設定を確認しやすくできる。【００６７】
（３０）表示制御部は、他の操作ダイヤルのイメージ画像が重ねられる領域を避けて現在の設定値を文字盤部分に表示する、上記（２９）のカメラ。【００６８】
本態様によれば、他の操作ダイヤルのイメージ画像が上に重ねて表示される場合において、重ねられる領域を避けて現在の設定値が表示される。すなわち、文字盤部分の視認可能な領域（他の操作ダイヤルが重ならない領域）に現在の設定値が表示される。これにより、現在の設定値をより確認しやすくできる。【００６９】
（３１）表示部は、カメラボディの天面に備えられ、複数の操作ダイヤルは、表示部の近傍に備えられる、上記（１）から（３０）のいずれか一のカメラ。【００７０】
本態様によれば、表示部がカメラボディの天面に備えられる。複数の操作ダイヤルは、表示部の近傍に備えられる。カメラボディの天面に表示部を備えることにより、表示を確認しやすくできる。また、表示部の近傍に操作ダイヤルを備えることにより、設定中の表示を見やすくできる。【００７１】
（３２）複数備えられた各操作ダイヤルのイメージ画像を互いに重ねて表示部に表示し、各操作ダイヤルへの指の接触又は近接を検出し、検出結果に基づいて、各操作ダイヤルのイメージ画像を重ね合わせる順番を切り替え、接触又は近接が検出された操作ダイヤルのイメージ画像を前面に表示する、カメラの表示制御方法。【００７２】
本態様によれば、表示部に各操作ダイヤルのイメージ画像が表示される。各操作ダイヤルのイメージ画像は、互いに重なり合う位置に表示される。そして、その重ね合わせる順番が、実際の操作ダイヤルへの指の接触又は近接の検出結果に基づいて、制御される。すなわち、指の接触又は近接が検出された操作ダイヤルのイメージ画像が、前面に表示されるように制御される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。【００７３】
（３３）複数備えられた各操作ダイヤルのイメージ画像を互いに重ねて表示部に表示し、操作ダイヤルの操作に基づいて、各操作ダイヤルのイメージ画像を重ね合わせる順番を切り替え、操作された操作ダイヤルのイメージ画像を前面に表示する、カメラの表示制御方法。【００７４】
本態様によれば、表示部に各操作ダイヤルのイメージ画像が表示される。各操作ダイヤルのイメージ画像は、互いに重なり合う位置に表示される。そして、その重ね合わせる順番が、実際の操作ダイヤルの操作に基づいて、制御される。すなわち、操作された操作ダイヤルのイメージ画像が、前面に表示されるように制御される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。【００７５】
（３４）複数備えられた各操作ダイヤルのイメージ画像を互いに重なり合う位置で表示部に表示し、各操作ダイヤルへの指の接触又は近接が検出されていない場合は、互いに重なり合う領域で分割して各操作ダイヤルのイメージ画像を表示し、操作ダイヤルへの指の接触又は近接が検出されている場合は、各操作ダイヤルのイメージ画像を互いに重ねて表示し、かつ、接触又は近接が検出されている操作ダイヤルのイメージ画像を前面に表示する、カメラの表示制御方法。【００７６】
本態様によれば、表示部に各操作ダイヤルのイメージ画像が表示される。各操作ダイヤルのイメージ画像は、互いに重なり合う位置に表示される。各操作ダイヤルのイメージ画像は、操作ダイヤルへの指の接触又は近接が検出されていない場合、互いに重なり合う領域で分割して表示される。すなわち、互いに重ならないように、境界線が設定されて、その境界線で分割して表示される。一方、操作ダイヤルへの指の接触又は近接が検出されている場合、各操作ダイヤルのイメージ画像は、互いに重ねて表示される。この際、接触又は近接が検出された操作ダイヤルのイメージ画像が前面に表示される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。また、操作ダイヤルへの指の接触又は近接が検出されている場合と検出されていない場合とで、各操作ダイヤルのイメージ画像の表示形態が切り替わるので、設定の変更中か否かを表示部の表示から容易に確認できる。
【００７７】
（３５）複数備えられた各操作ダイヤルのイメージ画像を互いに重なり合う位置で表示部に表示し、操作ダイヤルが操作されていない場合は、互いに重なり合う領域で分割して各操作ダイヤルのイメージ画像を表示し、操作ダイヤルが操作されている場合は、各操作ダイヤルのイメージ画像を互いに重ねて表示し、かつ、操作されている操作ダイヤルのイメージ画像を前面に表示する、カメラの表示制御方法。【００７８】
本態様によれば、表示部に各操作ダイヤルのイメージ画像が表示される。各操作ダイヤルのイメージ画像は、互いに重なり合う位置に表示される。各操作ダイヤルのイメージ画像は、操作ダイヤルが操作されていない場合、互いに重なり合う領域で分割して表示される。一方、操作ダイヤルが操作されている場合、各操作ダイヤルのイメージ画像は、互いに重ねて表示される。この際、操作された操作ダイヤルのイメージ画像が前面に表示される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。また、操作ダイヤルが操作されている場合と操作されていない場合とで、各操作ダイヤルのイメージ画像の表示形態が切り替わるので、設定の変更中か否かを表示部の表示から容易に確認できる。【００７９】
（３６）複数備えられた各操作ダイヤルのイメージ画像を互いに重ねて表示部に表示する機能と、各操作ダイヤルへの指の接触又は近接を検出する検出部の検出結果に基づいて、各操作ダイヤルのイメージ画像を重ね合わせる順番を切り替え、接触又は近接が検出された操作ダイヤルのイメージ画像を前面に表示する機能と、をコンピューターに実現させるカメラの表示制御プログラム。【００８０】
本態様によれば、表示部に各操作ダイヤルのイメージ画像が表示される。各操作ダイヤルのイメージ画像は、互いに重なり合う位置に表示される。そして、その重ね合わせる順番が、実際の操作ダイヤルへの指の接触又は近接の検出結果に基づいて、制御される。すなわち、指の接触又は近接が検出された操作ダイヤルのイメージ画像が、前面に表示されるように制御される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。【００８１】
（３７）複数備えられた各操作ダイヤルのイメージ画像を互いに重ねて表示部に表示する機能と、操作ダイヤルの操作に基づいて、各操作ダイヤルのイメージ画像を重ね合わせる順番を切り替え、操作された操作ダイヤルのイメージ画像を前面に表示する機能と、をコンピューターに実現させるカメラの表示制御プログラム。【００８２】
本態様によれば、表示部に各操作ダイヤルのイメージ画像が表示される。各操作ダイヤルのイメージ画像は、互いに重なり合う位置に表示される。そして、その重ね合わせる順番が、実際の操作ダイヤルの操作に基づいて、制御される。すなわち、操作された操作ダイヤルのイメージ画像が、前面に表示されるように制御される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。【００８３】
（３８）複数備えられた各操作ダイヤルのイメージ画像を互いに重なり合う位置で表示部に表示する機能と、各操作ダイヤルへの指の接触又は近接を検出する検出部の検出結果に基づいて、各操作ダイヤルのイメージ画像の表示を制御する機能であって、各操作ダイヤルへの指の接触又は近接が検出されていない場合は、互いに重なり合う領域で分割して各操作ダイヤルのイメージ画像を表示し、操作ダイヤルへの指の接触又は近接が検出されている場合は、各操作ダイヤルのイメージ画像を互いに重ねて表示し、かつ、接触又は近接が検出されている操作ダイヤルのイメージ画像を前面に表示する機能と、をコンピューターに実現させるカメラの表示制御プログラム。【００８４】
本態様によれば、表示部に各操作ダイヤルのイメージ画像が表示される。各操作ダイヤルのイメージ画像は、互いに重なり合う位置に表示される。各操作ダイヤルのイメージ画像は、操作ダイヤルへの指の接触又は近接が検出されていない場合、互いに重なり合う領域で分割して表示される。すなわち、互いに重ならないように、境界線が設定されて、その境界線で分割して表示される。一方、操作ダイヤルへの指の接触又は近接が検出されている場合、各操作ダイヤルのイメージ画像は、互いに重ねて表示される。この際、接触又は近接が検出された操作ダイヤルのイメージ画像が前面に表示される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。また、操作ダイヤルへの指の接触又は近接が検出されている場合と検出されていない場合とで、各操作ダイヤルのイメージ画像の表示形態が切り替わるので、設定の変更中か否かを表示部の表示から容易に確認できる。【００８５】
（３９）複数備えられた各操作ダイヤルのイメージ画像を互いに重なり合う位置で表示部に表示する機能と、操作ダイヤルの操作に基づいて、各操作ダイヤルのイメージ画像の表示を制御する機能であって、操作ダイヤルが操作されていない場合は、互いに重なり合う領域で分割して各操作ダイヤルのイメージ画像を表示し、操作ダイヤルが操作されている場合は、各操作ダイヤルのイメージ画像を互いに重ねて表示し、かつ、操作されている操作ダイヤルのイメージ画像を前面に表示する機能と、をコンピューターに実現させるカメラの表示制御プログラム。【００８６】
本態様によれば、表示部に各操作ダイヤルのイメージ画像が表示される。各操作ダイヤルのイメージ画像は、互いに重なり合う位置に表示される。各操作ダイヤルのイメージ画像は、操作ダイヤルが操作されていない場合、互いに重なり合う領域で分割して表示される。一方、操作ダイヤルが操作されている場合、各操作ダイヤルのイメージ画像は、互いに重ねて表示される。この際、操作された操作ダイヤルのイメージ画像が前面に表示される。これにより、操作中の操作ダイヤルのイメージ画像を見やすくでき、良好な操作性を提供できる。また、各操作ダイヤルのイメージ画像を互いに重ねて表示することにより、表示に必要なスペースを小さくできる。すなわち、本態様によれば、小さな表示部であっても良好な視認性を確保でき、良好な操作性を提供できる。また、操作ダイヤルが操作されている場合と操作されていない場合とで、各操作ダイヤルのイメージ画像の表示形態が切り替わるので、設定の変更中か否かを表示部の表示から容易に確認できる。
【発明の効果】
【００８７】
本発明によれば、コンパクトな構成で視認性及び操作性のよいカメラ、カメラの表示制御方法、及び、カメラの表示制御プログラムを提供することができる。
【図面の簡単な説明】
【００８８】
【図１】デジタルカメラの正面図
【図２】デジタルカメラの背面図
【図３】デジタルカメラの平面図
【図４】レンズを装着した状態のデジタルカメラの平面図
【図５】デジタルカメラの撮影時の使用形態を示す平面図
【図６】サブディスプレーの設置部を拡大した平面図
【図７】デジタルカメラの全体の制御系の概略構成を示すブロック図
【図８】第１操作ダイヤル及び第２操作ダイヤルを用いた操作系のシステム構成を示すブロック図
【図９】サブディスプレーの表示の一例を示す平面図
【図１０】サブディスプレーの表示の一例を示す平面図
【図１１】操作ダイヤルによって設定される項目がシャッタースピードの場合のイメージ画像の一例を示す図
【図１２】操作ダイヤルによって設定される項目が絞り値の場合のイメージ画像の一例を示す図
【図１３】操作ダイヤルによって設定される項目が露出補正量の場合のイメージ画像の一例を示す図
【図１４】操作ダイヤルによって設定される項目がＩＳＯ感度の場合のイメージ画像の一例を示す図
【図１５】操作ダイヤルによって設定される項目がプログラムシフトの場合のイメージ画像の一例を示す図
【図１６】操作ダイヤルのイメージ画像の重ね合わせの切り替えの処理手順を示すフローチャート
【図１７】カメラの設定内容の一部を非表示とする場合のサブディスプレーの表示の一例を示す平面図
【図１８】カメラの設定内容の一部を非表示とする場合のサブディスプレーの表示の一例を示す平面図
【図１９】操作ダイヤルのイメージ画像の他の一例を示す図
【図２０】操作ダイヤルのイメージ画像の他の一例を示す図
【図２１】操作ダイヤルのイメージ画像の他の一例を示す図
【図２２】操作ダイヤルのイメージ画像の他の一例を示す図
【図２３】操作ダイヤルのイメージ画像の他の一例を示す図
【図２４】操作ダイヤルのイメージ画像の他の一例を示す図
【図２５】操作ダイヤルのイメージ画像の他の一例を示す図
【図２６】操作ダイヤルのイメージ画像の他の一例を示す図
【図２７】第１操作ダイヤルに触れた場合のサブディスプレーの表示を示す平面図
【図２８】第１操作ダイヤルに指で触れた後に指を離した場合のサブディスプレーの表示を示す平面図
【図２９】第２操作ダイヤルに触れた場合のサブディスプレーの表示を示す平面図
【図３０】第２操作ダイヤルに指で触れた後に指を離した場合のサブディスプレーの表示を示す平面図
【図３１】第１操作ダイヤルに触れた場合のサブディスプレーの他の表示の一例を示す平面図
【図３２】他の操作ダイヤルのイメージ画像が重ねられる領域を避けて現在の設定値を文字盤部分に表示する場合のイメージ画像の表示の一例を示す図
【図３３】他の操作ダイヤルのイメージ画像が重ねられる領域を避けて現在の設定値を文字盤部分に表示する場合のイメージ画像の表示の一例を示す図
【図３４】操作ダイヤルのイメージ画像の表示処理の手順を示すフローチャート
【図３５】本実施の形態のデジタルカメラのサブディスプレーの表示の一例を示す平面図
【図３６】第４の実施の形態のデジタルカメラの正面図
【図３７】第４の実施の形態のデジタルカメラの平面図
【図３８】サブディスプレーの表示の一例を示す平面図
【図３９】サブディスプレーの表示の一例を示す平面図
【図４０】サブディスプレーの表示の一例を示す平面図
【図４１】操作ダイヤルに触れていない場合のサブディスプレーの表示の一例を示す平面図
【図４２】互いに重なり合う領域で分割して各操作ダイヤルのイメージ画像を表示する場合のサブディスプレーの表示の一例を示す平面図
【図４３】互いに重なり合う領域で分割して各操作ダイヤルのイメージ画像を表示する場合において、第３操作ダイヤルへの接触が検出された場合のサブディスプレーの表示の一例を示す平面図
【図４４】第３操作ダイヤルに触れた場合のサブディスプレーの表示の一例を示す図
【図４５】他の操作ダイヤルのイメージ画像が重ねられる領域を避けて現在の設定値を文字盤部分に表示する場合のイメージ画像の表示の一例を示す図
【図４６】第１操作ダイヤルへの指の近接を検出するセンサーを備えたデジタルカメラの背面図
【発明を実施するための形態】
【００８９】
以下、添付図面に従って本発明を実施するための好ましい形態について詳説する。
【００９０】
〔第１の実施の形態〕
［外観構成］
図１、図２、図３は、それぞれ本発明が適用されたデジタルカメラの一例を示す正面図、背面図、平面図である。また、図４は、レンズを装着した状態のデジタルカメラの平面図である。また、図５は、デジタルカメラの撮影時の使用形態を示す平面図である。
【００９１】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００９２】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００９３】
図１から図５に示すように、カメラボディ１０には、レンズマウント１２、メインディスプレー１４、サブディスプレー１６、電子ビューファインダー１８、ホットシュー２０等が備えられる。また、操作部材として、シャッターボタン３０、電源レバー３１、再生ボタン３４、消去ボタン３５、ＡＦロックボタン３６、ＡＥロックボタン３７、メニューボタン３８、セレクターボタン３９、表示ボタン４０、モードダイヤル４１、第１操作ダイヤルＤ１、及び、第２操作ダイヤルＤ２等が備えられる。
【００９４】
《カメラボディ》
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作する。グリップ部には、正面側にグリップ２２、背面側にサムレスト２４が備えられる。
【００９５】
《レンズマウント》
レンズマウント１２は、レンズ２の取り付け部である。図１に示すように、レンズマウント１２は、カメラボディ１０の正面に備えられる。レンズ２は、レンズマウント１２に着脱自在に装着される。レンズマウント１２は、バヨネット式で構成される。
【００９６】
《メインディスプレー》
メインディスプレー１４は、主として画像の表示に使用される。メインディスプレー１４は、図２に示すように、カメラボディ１０の背面に備えられる。メインディスプレー１４は、たとえば、カラーＬＣＤ（ＬＣＤ：Liquid Crystal Display／液晶ディスプレー）で構成される。
【００９７】
上記のように、メインディスプレー１４は、主として画像の表示に使用される。表示する画像には、撮影済み画像の他、ライブビュー画像が含まれる。ライブビューとは、イメージセンサーで捉えた画像をリアルタイムに表示する機能のことである。撮影時にライブビューすることにより、画角、フォーカス状態等をメインディスプレー１４で確認できる。
【００９８】
また、メインディスプレー１４は、ＧＵＩ（ＧＵＩ：Graphical User Interface／グラフィカルユーザーインタフェース）としても利用される。すなわち、各種設定を行う際、メインディスプレー１４に設定画面が表示され、その設定画面で各種設定が行われる。
【００９９】
《サブディスプレー》
サブディスプレー１６は、表示部の一例である。サブディスプレー１６は、主としてカメラの設定内容の表示に使用される。サブディスプレー１６は、メインディスプレー１４に比して小型のディスプレーで構成される。
【０１００】
サブディスプレー１６は、図３に示すように、カメラボディ１０の天面に備えられる。特に、本実施の形態のデジタルカメラ１では、カメラボディ１０の天面において、グリップ部側の端部に備えられる。サブディスプレー１６は、その表示面がカメラボディ１０の天面の一部を構成する。
【０１０１】
サブディスプレー１６の表示面は、長方形状を有し、その短辺が光軸Ｌと平行に配置される。より具体的には、短辺が前後方向（ｚ方向）に沿って配置され、かつ、長辺が横方向（ｘ方向）に沿って配置される。
【０１０２】
上記のように、サブディスプレー１６には、デジタルカメラ１の設定内容が表示される。具体的な表示内容については、後述する。
【０１０３】
《電子ビューファインダー》
電子ビューファインダー（ＥＶＦ：Electronic View Finder）１８は、ＬＣＤを内蔵した電子式のファインダーである。電子ビューファインダー１８は、図２に示すように、カメラボディ１０の上部（いわゆる軍艦部）に備えられ、背面に接眼部が備えられる。
【０１０４】
《ホットシュー》
ホットシュー２０は、外付けのフラッシュの取り付け部である。図３に示すように、ホットシュー２０は、カメラボディ１０の天面に備えられる。
【０１０５】
《操作部材》
カメラボディ１０には、操作部材として、シャッターボタン３０、電源レバー３１、再生ボタン３４、消去ボタン３５、ＡＦロックボタン３６、ＡＥロックボタン３７、メニューボタン３８、セレクターボタン３９、表示ボタン４０、モードダイヤル４１、第１操作ダイヤルＤ１及び第２操作ダイヤルＤ２等が備えられる。
【０１０６】
〈シャッターボタン〉
シャッターボタン３０は、カメラボディ１０の天面（上面）に備えられ、グリップ部側に配置される。シャッターボタン３０は、いわゆる半押しと全押しとからなる二段式のスイッチで構成される。シャッターボタン３０が半押しされると、撮影準備、すなわち、ＡＥ、ＡＦ、ＡＷＢ等の各処理が行われる。そして、その後、全押しされると、本撮影、すなわち、記録用の画像の取り込みが行われる。なお、ＡＥとは、Automatic Exposure（自動露光）の略であり、カメラが被写体の明るさを自動的に計測し、適正露出を決定する機能のことである。また、ＡＦとは、Automatic Focus（自動焦点）の略であり、カメラが被写体との距離を自動的に計測し、焦点を合わせる機能のことである。また、ＡＷＢとは、Automatic White Balance（自動ホワイトバランス）の略であり、カメラが光の状況を自動的に判断し、適正な色状態を再現する機能のことである。
【０１０７】
〈電源レバー〉
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【０１０８】
〈再生ボタン〉
再生ボタン３４は、デジタルカメラ１のモードを再生モードに切り替えるボタンである。再生ボタン３４は、カメラボディ１０の背面に備えられ、メインディスプレー１４の上方に配置される。デジタルカメラ１のモードが撮影モードに設定されている状態で再生ボタン３４を押すと、デジタルカメラ１のモードが再生モードに切り替えられる。再生モードに設定されると、最後に撮影した画像がメインディスプレー１４に表示される。
【０１０９】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【０１１０】
〈消去ボタン〉
消去ボタン３５は、メインディスプレー１４に表示されている撮影済み画像の消去を指示するボタンである。消去ボタン３５は、カメラボディ１０の背面に備えられ、メインディスプレー１４の上方に配置される。撮影済み画像をメインディスプレー１４に表示している状態で消去ボタン３５を押すと、消去を確認する画面がメインディスプレー１４に表示される。メインディスプレー１４の表示に従って消去の実行を指示すると、再生中の撮影済み画像がメモリーカードから消去される。
【０１１１】
〈ＡＦロックボタン〉
ＡＦロックボタン３６は、フォーカスのロックを指示するボタンである。図２に示すように、ＡＦロックボタン３６は、カメラボディ１０の背面に備えられ、サムレスト２４の近傍に配置される。ＡＦロックボタン３６を押すと、フォーカスがロックされる。
【０１１２】
〈ＡＥロックボタン〉
ＡＥロックボタン３７は、露出のロックを指示するボタンである。図２に示すように、ＡＥロックボタン３７は、カメラボディ１０の背面に備えられ、サムレスト２４の近傍に配置される。ＡＥロックボタン３７を押すと、露出がロックされる。
【０１１３】
〈メニューボタン〉
メニューボタン３８は、メニュー画面をメインディスプレー１４に呼び出すボタンである。メニューボタン３８は、カメラボディ１０の背面に備えられる。このメニューボタン３８を押すことにより、メインディスプレー１４にメニュー画面が表示される。各種設定を行うための設定画面は、このメニュー画面から呼び出すことができる。
【０１１４】
メニューボタン３８は、ＯＫボタンとしても機能する。ＯＫボタンとは、選択事項、確認事項等についてＯＫを指示するボタンのことである。
【０１１５】
〈セレクターボタン〉
セレクターボタン３９は、メニューボタン３８を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモードの設定画面を呼び出す機能が割り当てられ、下方向のボタンには、連写モードの設定画面を呼び出す機能が割り当てられる。更に、メインディスプレー１４に各種設定画面を呼び出した場合には、画面上でカーソルを各方向に移動させるボタンとして機能する。
【０１１６】
〈表示ボタン〉
表示ボタン４０は、メインディスプレー１４の表示の切り替えを指示するボタンである。表示ボタン４０は、カメラボディ１０の背面に備えられる。再生モード又は撮影モードに設定されている状態において、表示ボタン４０が押されると、メインディスプレー１４の表示が切り替えられる。たとえば、再生モードに設定されている状態で表示ボタン４０が押されると、メインディスプレー１４に表示されている画像の撮影条件、ヒストグラム等が画像に重ねて表示される。また、たとえば、撮影モードに設定されている状態で表示ボタン４０が押されると、撮影条件、ヒストグラム等の各種情報がライブビュー画像に重ねて表示される。
【０１１７】
表示ボタン４０は、ＢＡＣＫボタンとしても機能する。ＢＡＣＫボタンとは、メインディスプレー１４の表示を１つ前の状態に戻すことを指示するボタンである。たとえば、各種設定画面がメインディスプレー１４に表示されている状態で表示ボタン４０を押すと、メインディスプレー１４の表示を１つ前の状態に戻すことができる。これにより、選択事項、確認事項等をキャンセルできる。
【０１１８】
〈モードダイヤル〉
モードダイヤル４１は、撮影モードを設定するダイヤルである。モードダイヤル４１の天面には、「Ｐ」、「Ｓ」、「Ａ」、「Ｍ」の各記号が同一円周上に一定の間隔で表示される。記号「Ｐ」はプログラム、記号「Ｓ」はシャッタースピード優先、記号「Ａ」は絞り優先、記号「Ｍ」はマニュアルを表わす。
【０１１９】
ここで、撮影モードにおけるプログラムとは、露出を一定にしたまま、絞り値（Ｆ値）とシャッタースピードの組み合わせを変更できるモードをいう。いわゆるプログラムシフトが可能な撮影モードのことである。
【０１２０】
シャッタースピード優先とは、ユーザーが選択したシャッタースピードに対して適正露出となるような絞り値をカメラが自動的に決定するモードをいう。
【０１２１】
絞り優先とは、ユーザーが選択した絞り値に対して適正露出となるようなシャッタースピードをカメラが自動的に決定するモードをいう。
【０１２２】
マニュアルとは、シャッタースピード及び絞り値をユーザーが選択するモードをいう。
【０１２３】
モードダイヤル４１は、指標４１ａに対し、各記号の位置でクリックストップ可能に構成される。記号「Ｐ」を指標４１ａに合わせると、撮影モードがプログラムに設定される。記号「Ｓ」を指標４１ａに合わせると、撮影モードがシャッタースピード優先に設定される。記号「Ａ」を指標４１ａに合わせると、撮影モードが絞り優先に設定される。記号「Ｍ」を指標４１ａに合わせると、撮影モードがマニュアルに設定される。
【０１２４】
図３には、撮影モードがシャッタースピード優先に設定された場合の例が示されている。この場合、指標４１ａに記号「Ｓ」が合わせられる。
【０１２５】
〈第１操作ダイヤル〉
第１操作ダイヤルＤ１は、複数備えられる回転式の操作ダイヤルのうちの１つである。第１操作ダイヤルＤ１は、カメラボディ１０に内蔵され、外周の一部がカメラボディ１０の背面に露出して配置される。より具体的には、外周の一部が、カメラボディ１０の背面の右上隅に露出して配置される。この位置は、カメラボディ１０のグリップ部を把持する右手の親指で操作可能な位置である。また、この位置は、サブディスプレー１６の近傍の位置であり、サブディスプレー１６から見て後方の位置である。近傍とは、図３に示すように、サブディスプレー１６と第１操作ダイヤルＤ１とが隣接して配置される程度の距離関係をいう。
【０１２６】
図６は、サブディスプレーの設置部を拡大した平面図である。
【０１２７】
第１操作ダイヤルＤ１は、カメラボディ１０を平面視した際、サブディスプレー１６の下側に配置される。換言すると、第１操作ダイヤルＤ１の上にサブディスプレー１６が重ねて配置される。また、第１操作ダイヤルＤ１は、その回転軸Ｄ１ｏがサブディスプレー１６の表示面に対して直交して配置される。更に、第１操作ダイヤルＤ１は、その回転軸Ｄ１ｏが、サブディスプレー１６の表示面内に配置される。換言すると、第１操作ダイヤルＤ１の軸上にサブディスプレー１６が配置される。
【０１２８】
第１操作ダイヤルＤ１は、円盤形状を有し、その外周には滑り止めのための凹凸が周方向に沿って周期的に備えられる。
【０１２９】
第１操作ダイヤルＤ１は、エンドレスに回転操作可能に設けられ、かつ、双方向に回転操作可能に設けられる。すなわち、回転軸Ｄ１ｏを中心に時計回りの回転方向ｒ−にエンドレスに回転操作可能に設けられ、かつ、反時計回りの回転方向ｒ＋にエンドレスに回転操作可能に設けられる。なお、本明細書では、時計回りの回転方向ｒ−をマイナスの回転方向、反時計回りの回転方向ｒ＋をプラスの回転方向とする。
【０１３０】
また、第１操作ダイヤルＤ１には、クリック機構が備えられる。第１操作ダイヤルＤ１は、このクリック機構により、一定の角度間隔でクリックストップ可能に設けられる。クリックストップとは、クリック感を伴って回転を停止させる機能のことである。この種のクリック機構は公知の技術であるので、その具体的な構成についての説明は省略する。
【０１３１】
第１操作ダイヤルＤ１の操作は、第１操作ダイヤル操作検出部Ｄ１ａで検出される（図８参照）。第１操作ダイヤル操作検出部Ｄ１ａは、第１操作ダイヤルＤ１の操作方向及び操作量を検出して、システムコントローラー８０に出力する。第１操作ダイヤル操作検出部Ｄ１ａは、たとえば、ロータリーエンコーダー等の回転検出手段で検出される。
【０１３２】
第１操作ダイヤルＤ１には、指の接触を検出するためのタッチセンサーが備えられる。以下、この第１操作ダイヤルＤ１に備えられるタッチセンサーを第１操作ダイヤルタッチセンサーＤ１ｂと称する（図８参照）。第１操作ダイヤルタッチセンサーＤ１ｂは、検出部の一例である。第１操作ダイヤルタッチセンサーＤ１ｂは、第１操作ダイヤルＤ１への指の接触を検出し、その情報をシステムコントローラー８０に出力する。
【０１３３】
第１操作ダイヤルＤ１によって操作される対象は、デジタルカメラ１の状態に応じて自動的に切り替わる。たとえば、撮影モードに設定された場合において、プログラムモードが選択された場合は、プログラムシフトする機能が割り当てられる。
【０１３４】
〈第２操作ダイヤル〉
第２操作ダイヤルＤ２は、複数備えられる回転式の操作ダイヤルのうちの１つである。第２操作ダイヤルＤ２は、カメラボディ１０の天面に備えられる。より具体的には、図６に示すように、カメラボディ１０の天面において、グリップ部側の端部に配置される。この位置は、サブディスプレー１６の近傍の位置であり、サブディスプレー１６から見て右隣の位置である。
【０１３５】
第２操作ダイヤルＤ２は、円盤形状を有し、その回転軸Ｄ２ｏがサブディスプレー１６に表示面に対して直交して配置される。また、その外周には滑り止めのための凹凸が周方向に沿って周期的に備えられる。
【０１３６】
第２操作ダイヤルＤ２は、第１操作ダイヤルＤ１と同様に、エンドレスに回転操作可能に設けられ、かつ、双方向に回転操作可能に設けられる。すなわち、回転軸Ｄ２ｏを中心に時計回りの回転方向ｒ−にエンドレスに回転操作可能に設けられ、かつ、反時計回りの回転方向ｒ＋にエンドレスに回転操作可能に設けられる。
【０１３７】
また、第２操作ダイヤルＤ２には、クリック機構が備えられる。第２操作ダイヤルＤ２は、このクリック機構により、一定の角度間隔でクリックストップ可能に設けられる。
【０１３８】
第２操作ダイヤルＤ２の操作は、第２操作ダイヤル操作検出部Ｄ２ａで検出される（図８参照）。第２操作ダイヤル操作検出部Ｄ２ａは、第２操作ダイヤルＤ２の操作方向及び操作量を検出して、システムコントローラー８０に出力する。第２操作ダイヤル操作検出部Ｄ２ａは、たとえば、ロータリーエンコーダー等の回転検出手段で検出される。
【０１３９】
第２操作ダイヤルＤ２には、指の接触を検出するためのタッチセンサーが備えられる。以下、この第２操作ダイヤルＤ２に備えられるタッチセンサーを第２操作ダイヤルタッチセンサーＤ２ｂと称する（図８参照）。第２操作ダイヤルタッチセンサーＤ２ｂは、検出部の一例である。第２操作ダイヤルタッチセンサーＤ２ｂは、第２操作ダイヤルＤ２への指の接触を検出し、その情報をシステムコントローラー８０に出力する。
【０１４０】
第２操作ダイヤルＤ２によって操作される対象は、デジタルカメラ１の状態に応じて自動的に切り替わる。たとえば、撮影モードに設定された場合において、プログラムモードが選択された場合は、露出補正量を設定する機能が割り当てられる。
【０１４１】
［全体の制御系］
図７は、デジタルカメラの全体の制御系の概略構成を示すブロック図である。
【０１４２】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、メインディスプレー駆動部７０、サブディスプレー駆動部７２、操作部７４、システムコントローラー８０等を有する。
【０１４３】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【０１４４】
イメージセンサー駆動部５２は、システムコントローラー８０からの指令に応じて、イメージセンサー５０を駆動する。
【０１４５】
シャッター５４は、スクエア型のフォーカルプレーンシャッターで構成され、イメージセンサー５０の直前に配置される。なお、図１は、シャッターが全開された状態が示されている。
【０１４６】
シャッター駆動部５６は、システムコントローラー８０からの指令に応じて、シャッター５４を駆動する。
【０１４７】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【０１４８】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【０１４９】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【０１５０】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【０１５１】
記録制御部６８は、システムコントローラー８０からの指令に応じて、メモリーカード７８にアクセスし、データを読み書きする。撮影により得られた画像データは、メモリーカード７８に記録される。
【０１５２】
メインディスプレー駆動部７０は、システムコントローラー８０からの指令に応じて、メインディスプレー１４を駆動する。
【０１５３】
サブディスプレー駆動部７２は、システムコントローラー８０からの指令に応じて、サブディスプレー１６を駆動する。
【０１５４】
操作部７４は、シャッターボタン３０、電源レバー３１、再生ボタン３４、消去ボタン３５、ＡＦロックボタン３６、ＡＥロックボタン３７、メニューボタン３８、セレクターボタン３９、表示ボタン４０、モードダイヤル４１、第１操作ダイヤルＤ１、及び、第２操作ダイヤルＤ２等を含み、各操作部材の操作に応じた信号をシステムコントローラー８０に出力する。
【０１５５】
システムコントローラー８０は、デジタルカメラ１の各部の動作を制御する制御部である。システムコントローラー８０は、マイクロコンピューターで構成される。すなわち、マイクロコンピューターが、所定のプログラムを実行することにより、システムコントローラー８０として機能する。
【０１５６】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【０１５７】
撮影から記録までの処理は、おおよそ次のとおりである。
【０１５８】
シャッターボタン３０の全押しによってイメージセンサー５０から出力された信号は、まず、アナログ信号処理部５８に取り込まれる。そして、そのアナログ信号処理部５８において、所定のアナログの信号処理が施された後、デジタルの信号に変換されて出力される。
【０１５９】
アナログ信号処理部５８から出力された信号は、画像データ入力部６０を介してワークメモリ６２に取り込まれる。そして、ワークメモリ６２からデジタル信号処理部６６に加えられる。
【０１６０】
デジタル信号処理部６６は、加えられた信号に所定の信号処理を施して、記録用の画像データを生成する。生成された画像データは、ワークメモリ６２に一旦格納された後、所定の記録用のフォーマットに変換され、記録制御部６８を介してメモリーカード７８に格納される。
【０１６１】
［第１操作ダイヤル及び第２操作ダイヤルを用いた操作系］
《構成》
図８は、第１操作ダイヤル及び第２操作ダイヤルを用いた操作系のシステム構成を示すブロック図である。
【０１６２】
第１操作ダイヤルＤ１及び第２操作ダイヤルＤ２を用いた操作系は、主として、第１操作ダイヤルＤ１の操作を検出する第１操作ダイヤル操作検出部Ｄ１ａと、第２操作ダイヤルＤ２の操作を検出する第２操作ダイヤル操作検出部Ｄ２ａと、第１操作ダイヤルＤ１への接触を検出する第１操作ダイヤルタッチセンサーＤ１ｂと、第２操作ダイヤルＤ２への接触を検出する第２操作ダイヤルタッチセンサーＤ２ｂと、第１操作ダイヤルＤ１及び第２操作ダイヤルＤ２の操作対象を設定する操作対象設定部１１０と、第１操作ダイヤルＤ１及び第２操作ダイヤルＤ２の操作に基づいて、操作対象設定部１１０で設定された項目の設定を変更する設定変更部１１２と、サブディスプレー１６の表示を制御するサブディスプレー表示制御部１１４と、で構成される。
【０１６３】
〈第１操作ダイヤル操作検出部〉
第１操作ダイヤル操作検出部Ｄ１ａは、第１操作ダイヤルＤ１に対する操作を検出する。すなわち、その操作方向及び操作量を検出する。操作量は、１クリック単位で検出する。すなわち、１クリック分の回転操作を１として検出する。したがって、反時計回りに２クリック分回転させた場合は、操作量が＋２となる。また、時計回りに２クリック分回転させた場合は、操作量が−２となる。第１操作ダイヤル操作検出部Ｄ１ａは、たとえば、ロータリーエンコーダー等の検出手段で構成される。第１操作ダイヤル操作検出部Ｄ１ａは、第１操作ダイヤルＤ１の操作を検出すると、その情報、すなわち、第１操作ダイヤルＤ１の操作方向及び操作量の情報をシステムコントローラー８０に出力する。
【０１６４】
〈第２操作ダイヤル操作検出部〉
第２操作ダイヤル操作検出部Ｄ２ａは、第２操作ダイヤルＤ２に対する操作を検出する。すなわち、その操作方向及び操作量を検出する。操作量は、１クリック単位で検出する。すなわち、１クリック分の回転操作を１として検出する。したがって、反時計回りに２クリック分回転させた場合は、操作量が＋２となる。また、時計回りに２クリック分回転させた場合は、操作量が−２となる。第２操作ダイヤル操作検出部Ｄ２ａは、たとえば、ロータリーエンコーダー等の検出手段で構成される。第２操作ダイヤル操作検出部Ｄ２ａは、第２操作ダイヤルＤ２の操作を検出すると、その情報、すなわち、第２操作ダイヤルＤ２の操作方向及び操作量の情報をシステムコントローラー８０に出力する。
【０１６５】
〈第１操作ダイヤルタッチセンサー〉
第１操作ダイヤルタッチセンサーＤ１ｂは、検出部の一例である。第１操作ダイヤルタッチセンサーＤ１ｂは、第１操作ダイヤルＤ１への指の接触を検出する。第１操作ダイヤルタッチセンサーＤ１ｂは、第１操作ダイヤルＤ１への指の接触を検出すると、その情報をシステムコントローラー８０に出力する。
【０１６６】
〈第２操作ダイヤルタッチセンサー〉
第２操作ダイヤルタッチセンサーＤ２ｂは、検出部の一例である。第２操作ダイヤルタッチセンサーＤ２ｂは、第２操作ダイヤルＤ２への指の接触を検出する。第２操作ダイヤルタッチセンサーＤ２ｂは、第２操作ダイヤルＤ２への指の接触を検出すると、その情報をシステムコントローラー８０に出力する。
【０１６７】
〈操作対象設定部〉
操作対象設定部１１０は、第１操作ダイヤルＤ１及び第２操作ダイヤルＤ２の操作対象を設定する。上記のように、第１操作ダイヤルＤ１及び第２操作ダイヤルＤ２によって操作される対象は、デジタルカメラ１の状態に応じて自動的に切り替わる。操作対象設定部１１０は、この切り替えの処理を実行する。
【０１６８】
デジタルカメラ１が、再生モードの場合、第１操作ダイヤルＤ１には、コマ送りする機能が割り当てられる。この場合、第１操作ダイヤルＤ１を反時計回りに回転させると、画像が１コマ送られ、時計周りに回転させると、画像が１コマ戻される。
【０１６９】
また、デジタルカメラ１が、再生モードの場合、第２操作ダイヤルＤ２には、再生中の画像をズームする機能が割り当てられる。この場合、第２操作ダイヤルＤ２を反時計回りに回転させると、画像が拡大され、時計周りに回転させると、画像が縮小される。
【０１７０】
また、メインディスプレー１４を用いて各種設定を行う場合、第１操作ダイヤルＤ１には、設定値を変更する機能が割り当てられる。この場合、第１操作ダイヤルＤ１を反時計回りの方向に回転させると、設定値が繰り上げられ、時計周りの方向に回転させると、設定値が繰り下げられる。第２操作ダイヤルＤ２にも同じ機能が割り当てられる。
【０１７１】
更に、デジタルカメラ１が、撮影モードの場合、第１操作ダイヤルＤ１及び第２操作ダイヤルＤ２には、選択したモードに応じた機能が割り当てられる。以下、モードごとに割り当てられる機能について説明する。
【０１７２】
（１）プログラムモード
プログラムモードが選択されると、第１操作ダイヤルＤ１にはプログラムシフトの機能、すなわち、露出を一定にしたまま、絞り値（Ｆ値）とシャッタースピードの組み合わせを変更する機能が割り当てられる。一方、第２操作ダイヤルＤ２には、露出補正量を設定する機能、すなわち、露出補正ダイヤルとしての機能が割り当てられる。この場合、第１操作ダイヤルＤ１を反時計回りに回転させると、シャッタースピードが繰り上げられ（絞り値は繰り下げられる）、時計周りの方向に回転させると、シャッタースピードが繰り下げられる（絞り値は繰り上げられる）。また、第２操作ダイヤルＤ２を反時計回りに回転させると、露出補正量がプラス側に段階的に設定され、時計周りの方向に回転させると、露出補正量がマイナス側に段階的に設定される。
【０１７３】
（２）シャッタースピード優先モード
シャッタースピード優先モードが選択されると、第１操作ダイヤルＤ１には、シャッタースピードを設定する機能、すなわち、シャッタースピードダイヤルとしての機能が割り当てられる。一方、第２操作ダイヤルＤ２には、露出補正量を設定する機能が割り当てられる。この場合、第１操作ダイヤルＤ１を反時計回りに回転させると、シャッタースピードが段階的に繰り上げられ、時計周りの方向に回転させると、シャッタースピードが段階的に繰り下げられる。また、第２操作ダイヤルＤ２を反時計回りに回転させると、露出補正量がプラス側に段階的に設定され、時計周りの方向に回転させると、露出補正量がマイナス側に段階的に設定される。
【０１７４】
（３）絞り優先モード
絞り優先モードが選択されると、第１操作ダイヤルＤ１には、絞り値を設定する機能、すなわち、絞りダイヤルとしての機能が割り当てられる。一方、第２操作ダイヤルＤ２には、露出補正量を設定する機能が割り当てられる。この場合、第１操作ダイヤルＤ１を反時計回りに回転させると、絞り値が段階的に繰り上げられ、時計周りの方向に回転させると、絞り値が段階的に繰り下げられる。また、第２操作ダイヤルＤ２を反時計回りに回転させると、露出補正量がプラス側に段階的に設定され、時計周りの方向に回転させると、露出補正量がマイナス側に段階的に設定される。
【０１７５】
（４）マニュアルモード
マニュアルモードが選択されると、第１操作ダイヤルＤ１には、シャッタースピードを設定する機能、すなわち、シャッタースピードダイヤルとしての機能が割り当てられる。一方、第２操作ダイヤルＤ２には、絞り値を設定する機能、すなわち、絞りダイヤルとしての機能が割り当てられる。この場合、第１操作ダイヤルＤ１を反時計回りに回転させると、シャッタースピードが段階的に繰り上げられ、時計周りの方向に回転させると、シャッタースピードが段階的に繰り下げられる。また、第２操作ダイヤルＤ２を反時計回りに回転させると、絞り値が段階的に繰り上げられ、時計周りの方向に回転させると、絞り値が段階的に繰り下げられる。
【０１７６】
データメモリ６４には、デジタルカメラ１の状態に応じて割り当てる機能が規定されたテーブルが格納される。操作対象設定部１１０は、このテーブルを参照して、第１操作ダイヤルＤ１及び第２操作ダイヤルＤ２の操作対象を設定する。
【０１７７】
なお、操作対象設定部１１０の機能は、システムコントローラー８０の一機能として提供される。すなわち、マイクロコンピューターが、所定のプログラムを実行することにより、システムコントローラー８０の一機能として、操作対象設定部１１０の機能が提供される。
【０１７８】
〈設定変更部〉
設定変更部１１２は、第１操作ダイヤルＤ１及び第２操作ダイヤルＤ２の操作に基づいて、操作対象設定部１１０で設定された操作対象の設定を変更する。たとえば、第１操作ダイヤルＤ１にシャッタースピードを設定する機能が割り当てられ、第２操作ダイヤルＤ２に露出補正量を設定する機能が割り当てられているとする。この場合、第１操作ダイヤルＤ１が反時計回りに回転されると、その回転量（操作量）に応じてシャッタースピードを繰り上げる。また、第１操作ダイヤルＤ１が時計回りに回転されると、その回転量に応じてシャッタースピードを繰り下げる。また、第２操作ダイヤルＤ２が反時計回りに回転されると、その回転量（操作量）に応じて段階的に露出補正量をプラス側に設定する。また、第２操作ダイヤルＤ２が時計回りに回転されると、その回転量に応じて段階的に露出補正量をマイナス側に設定する。
【０１７９】
設定変更部１１２の機能は、システムコントローラー８０の一機能として提供される。すなわち、マイクロコンピューターが、所定のプログラムを実行することにより、システムコントローラー８０の一機能として、設定変更部１１２の機能が提供される。
【０１８０】
〈サブディスプレー表示制御部〉
サブディスプレー表示制御部１１４は、表示制御部の一例である。サブディスプレー表示制御部１１４は、サブディスプレー駆動部７２を介してサブディスプレー１６の表示を制御する。サブディスプレー表示制御部１１４は、第１操作ダイヤルＤ１及び第２操作ダイヤルＤ２への指の接触の検出結果、及び、第１操作ダイヤルＤ１及び第２操作ダイヤルＤ２の回転操作に基づいて、サブディスプレー１６の表示を制御する。
【０１８１】
サブディスプレー表示制御部１１４の機能は、システムコントローラー８０の一機能として提供される。すなわち、マイクロコンピューターが、所定のプログラムを実行することにより、システムコントローラー８０の一機能として、サブディスプレー表示制御部１１４の機能が提供される。
【０１８２】
≪サブディスプレーの表示≫
図９及び図１０は、サブディスプレーの表示の一例を示す平面図である。図９は、第１操作ダイヤルＤ１への接触が検出された場合のサブディスプレー１６の表示を示しており、図１０は、第２操作ダイヤルＤ２への接触が検出された場合のサブディスプレー１６の表示を示している。また、図９及び図１０は、第１操作ダイヤルＤ１にシャッタースピードを設定変更する機能が割り当てられ、第２操作ダイヤルＤ２に露出補正量を設定変更する機能が割り当てられた場合の例を示している。
【０１８３】
図９及び図１０に示すように、サブディスプレー１６には、各操作ダイヤルのイメージ画像ｉＤ１、ｉＤ２、及び、現在のカメラの設定内容ｉＣが表示される。
【０１８４】
＜操作ダイヤルのイメージ画像＞
各操作ダイヤルのイメージ画像ｉＤ１、ｉＤ２は、実際の操作ダイヤルを平面的に模した画像で構成される。したがって、各操作ダイヤルのイメージ画像ｉＤ１、ｉＤ２は、円形の外形形状を有する画像で構成される。また、そのサイズは、実際の操作ダイヤルとほぼ同じサイズで構成される。
【０１８５】
また、各操作ダイヤルのイメージ画像ｉＤ１、ｉＤ２は、その文字盤部分が各操作ダイヤルによって設定される項目に対応した画像で構成される。したがって、操作ダイヤルによって設定される項目が変わると、その文字盤部分の画像も変化する。なお、文字盤部分とは、外形を画定する円の内側の部分のことである。以下、項目ごとの操作ダイヤルのイメージ画像の具体例について説明する。
【０１８６】
（１）シャッタースピード
図１１は、操作ダイヤルによって設定される項目がシャッタースピードの場合のイメージ画像の一例を示す図である。
【０１８７】
操作ダイヤルによって設定される項目がシャッタースピードの場合、そのイメージ画像ｉＤは、実際のシャッタースピードダイヤルを模した画像で構成される。すなわち、文字盤部分に選択可能なシャッタースピードが、周方向に一定の間隔で表示された画像で構成される。
【０１８８】
この場合、現在の設定値を指し示す指標のイメージ画像ｉＩも表示される。指標のイメージ画像ｉＩは、９時の位置に表示される。図１１に示す例の場合、現在のシャッタースピードの設定が１／６０秒であることを示している。
【０１８９】
現在の設定値は、その他の選択可能な設定値よりも大きく表示される。これにより、現在の設定値を見やすくできる。
【０１９０】
（２）絞り値
図１２は、操作ダイヤルによって設定される項目が絞り値の場合のイメージ画像の一例を示す図である。
【０１９１】
操作ダイヤルによって設定される項目が絞り値の場合、そのイメージ画像ｉＤは、実際の絞りダイヤルを模した画像で構成される。すなわち、文字盤部分に選択可能な絞り値が、周方向に一定の間隔で表示された画像で構成される。
【０１９２】
この場合、現在の設定値を指し示す指標のイメージ画像ｉＩも表示される。指標のイメージ画像ｉＩは、９時の位置に表示される。図１２に示す例の場合、現在の絞り値の設定がＦ２であることを示している。
【０１９３】
現在の設定値は、その他の選択可能な設定値よりも大きく表示される。これにより、現在の設定値を見やすくできる。
【０１９４】
（３）露出補正
図１３は、操作ダイヤルによって設定される項目が露出補正量の場合のイメージ画像の一例を示す図である。
【０１９５】
操作ダイヤルによって設定される項目が露出補正量の場合、そのイメージ画像ｉＤは、実際の露出補正ダイヤルを模した画像で構成される。すなわち、文字盤部分に選択可能な露出補正量が、周方向に一定の間隔で表示された画像で構成される。
【０１９６】
この場合、現在の設定値を指し示す指標のイメージ画像ｉＩも表示される。指標のイメージ画像ｉＩは、９時の位置に表示される。図１３に示す例の場合、現在の露出補正量の設定が±０であることを示している。
【０１９７】
現在の設定値は、その他の選択可能な設定値よりも大きく表示される。これにより、現在の設定値を見やすくできる。
【０１９８】
（４）ＩＳＯ感度
図１４は、操作ダイヤルによって設定される項目がＩＳＯ感度の場合のイメージ画像の一例を示す図である。
【０１９９】
操作ダイヤルによって設定される項目がＩＳＯ感度（ＩＳＯ：International Organization for Standardization／国際標準化機構）の場合、そのイメージ画像ｉＤは、実際の感度ダイヤルを模した画像で構成される。すなわち、文字盤部分に選択可能なＩＳＯ感度が、周方向に一定の間隔で表示された画像で構成される。
【０２００】
この場合、現在の設定値を指し示す指標のイメージ画像ｉＩも表示される。指標のイメージ画像ｉＩは、９時の位置に表示される。図１４に示す例の場合、現在のＩＳＯ感度の設定がＩＳＯ４００であることを示している。
【０２０１】
現在の設定値は、その他の選択可能な設定値よりも大きく表示される。これにより、現在の設定値を見やすくできる。
【０２０２】
（５）プログラムシフト
図１５は、操作ダイヤルによって設定される項目がプログラムシフトの場合のイメージ画像の一例を示す図である。
【０２０３】
操作ダイヤルによって設定される項目がプログラムシフトの場合、そのイメージ画像ｉＤは、文字盤部分に現在のシャッタースピード及び絞り値が表示された画像で構成される。シャッタースピード及び絞り値は、前後方向（ｚ方向）に並べて表示され、それぞれ枠内に表示される。図１５には、現在のシャッタースピードが１／６０秒、現在の絞り値がＦ５．６の例が示されている。
【０２０４】
＜カメラの設定内容＞
本実施の形態のデジタルカメラ１では、カメラの設定内容ｉＣとして、現在設定されているシャッタースピードの情報ｉ１、現在設定されている絞り値の情報ｉ２、現在設定されているＩＳＯ感度の情報ｉ３、現在設定されている露出補正量の情報ｉ４、現在の撮影可能枚数の情報ｉ５、及び、現在のバッテリー残量の情報ｉ６が表示される。
【０２０５】
カメラの設定内容ｉＣとして表示する項目には、少なくもと第１操作ダイヤルＤ１及び第２操作ダイヤルＤ２によって設定され得る項目の情報が含まれる。上記のように、本実施の形態のデジタルカメラ１では、第１操作ダイヤルＤ１及び第２操作ダイヤルＤ２によって、シャッタースピード、絞り値、及び、露出補正量が設定され得るので、カメラの設定内容ｉＣとして表示する項目には、シャッタースピードの情報、絞り値の情報、及び、露出補正量の情報が含まれる。
【０２０６】
＜レイアウト＞
（１）操作ダイヤルのイメージ画像の配置
各操作ダイヤルのイメージ画像ｉＤ１、ｉＤ２は、各操作ダイヤルの近傍の縁から表示される。すなわち、一部が枠外に隠れた状態で縁からサブディスプレー１６の表示領域に張り出すように表示される。近傍の縁とは、実際の操作ダイヤルから最も近い位置にある縁（辺）のことである。このように、各操作ダイヤルのイメージ画像ｉＤ１、ｉＤ２を各操作ダイヤルの近傍の縁から表示することにより、実際の操作ダイヤルと、サブディスプレー１６に表示されるイメージ画像との関係性を明確にできる。
【０２０７】
（ａ）第１操作ダイヤル
上記のように、実際の第１操作ダイヤルＤ１は、サブディスプレー１６の後方に配置される。したがって、図９に示すように、そのイメージ画像ｉＤ１は、サブディスプレー１６の後方の縁から表示される。すなわち、一部が枠外に隠れた状態で後方の縁からサブディスプレー１６の表示領域に張り出すように表示される。
【０２０８】
また、第１操作ダイヤルＤ１のイメージ画像ｉＤ１は、実際の第１操作ダイヤルＤ１と同軸上に表示される。これにより、サブディスプレー１６に表示されるイメージ画像ｉＤ１は、カメラボディ１０から露出した第１操作ダイヤルＤ１の外周の一部を延長した円弧状の外形形状を有する画像となる。そして、この画像は、第１操作ダイヤルＤ１の隠れた部分を表示する画像となる。これにより、あたかもカメラボディ１０の天面に第１操作ダイヤルＤ１が備えられているかのように見せることができる。
【０２０９】
（ｂ）第２操作ダイヤル
実際の第２操作ダイヤルＤ２は、サブディスプレー１６の右隣に配置される。したがって、図１０に示すように、そのイメージ画像ｉＤ２は、サブディスプレー１６の右側の縁から表示される。すなわち、一部が枠外に隠れた状態で右側の縁からサブディスプレー１６の表示領域に張り出すように表示される。張り出して表示される量は、全体のおおよそ２／３程度である。
【０２１０】
第２操作ダイヤルＤ２のイメージ画像ｉＤ２が表示される位置は、実際の第２操作ダイヤルＤ２の回転軸を通りサブディスプレー１６の右側の縁（辺）と直交する直線上である。すなわち、図１０に示すように、実際の第２操作ダイヤルＤ２を左方向にスライドさせた位置に第２操作ダイヤルＤ２のイメージ画像ｉＤ２が表示される。
【０２１１】
以上のように表示される第１操作ダイヤルＤ１及び第２操作ダイヤルＤ２のイメージ画像ｉＤ１、ｉＤ２は、図９及び図１０に示すように、互いに重なり合う位置に表示される。そして、その重ね合わせの順番が、接触の検出結果に基づいて制御される。すなわち、いずれのイメージ画像を前面に表示させるかが、接触の検出結果に基づいて制御される。この点については、後述する。
【０２１２】
（２）カメラの設定内容の表示の配置
カメラの設定内容ｉＣは、上記第１操作ダイヤルＤ１及び第２操作ダイヤルＤ２のイメージ画像ｉＤ１、ｉＤ２を表示した場合の余白領域に表示される。
【０２１３】
本実施の形態のデジタルカメラ１では、図９及び図１０に示すように、サブディスプレー１６の画面左側に余白領域が生じる。したがって、本実施の形態のデジタルカメラ１では、画面左側の領域にカメラの設定内容ｉＣが表示される。
【０２１４】
カメラの設定内容ｉＣは、各項目が既定の位置に表示される。図９及び図１０に示す例では、シャッタースピードの情報ｉ１、絞り値の情報ｉ２、ＩＳＯ感度の情報ｉ３、露出補正量の情報ｉ４、及び、撮影可能枚数の情報ｉ５を一列に並べて表示しており、バッテリー残量の情報ｉ６を独立して表示している。
【０２１５】
≪サブディスプレーの表示制御≫
＜イメージ画像の重ね合わせの切り替え＞
上記のように、第１操作ダイヤルＤ１のイメージ画像ｉＤ１と第２操作ダイヤルＤ２のイメージ画像ｉＤ２は、互いに重なり合う位置に表示される。どちらのイメージ画像を最前面に表示させるかは、実際の操作ダイヤルＤ１、Ｄ２への指の接触の検出結果に基づいて定められる。
【０２１６】
具体的には、指の接触が検出された操作ダイヤルのイメージ画像が最前面に表示される。したがって、第１操作ダイヤルＤ１への指の接触が検出された場合は、第１操作ダイヤルＤ１のイメージ画像ｉＤ１が最前面に表示される。また、第２操作ダイヤルＤ２への指の接触が検出された場合は、第２操作ダイヤルＤ２のイメージ画像ｉＤ２が最前面に表示される。
【０２１７】
したがって、常に最後に接触が検出された操作ダイヤルのイメージ画像が最前面に表示されることになる。したがって、たとえば、第２操作ダイヤルＤ２に触れた後、第１操作ダイヤルＤ１に触れた場合は、第１操作ダイヤルＤ１のイメージ画像ｉＤ１が最前面に表示される。また、第１操作ダイヤルＤ１に触れた後、再び第１操作ダイヤルＤ１に触れた場合も、第１操作ダイヤルＤ１のイメージ画像ｉＤ１が最前面に表示される。
【０２１８】
サブディスプレー表示制御部１１４は、第１操作ダイヤルＤ１に備えられた第１操作ダイヤルタッチセンサーＤ１ｂ、及び、第２操作ダイヤルＤ２に備えられた第２操作ダイヤルタッチセンサーＤ２ｂの出力に基づいて、２つのイメージ画像ｉＤ１、ｉＤ２の表示を制御する。すなわち、常に最後に接触が検出された操作ダイヤルのイメージ画像が最前面に表示されるように、各操作ダイヤルのイメージ画像ｉＤ１、ｉＤ２の表示を制御する。以下、この処理の手順（表示制御方法）について説明する。
【０２１９】
図１６は、操作ダイヤルのイメージ画像の重ね合わせの切り替えの処理手順を示すフローチャートである。
【０２２０】
サブディスプレー表示制御部１１４は、第１操作ダイヤルＤ１に備えられた第１操作ダイヤルタッチセンサーＤ１ｂ、及び、第２操作ダイヤルＤ２に備えられた第２操作ダイヤルタッチセンサーＤ２ｂの出力に基づいて、第１操作ダイヤルＤ１及び第２操作ダイヤルＤ２への指の接触の有無を判定する（ステップＳ１１）。
【０２２１】
接触の検出あり、と判定すると、現時点でイメージ画像が最前面に表示されている操作ダイヤルへの接触か否かを判定する（ステップＳ１２）。たとえば、現時点で第１操作ダイヤルＤ１のイメージ画像ｉＤ１が最前面に表示されている場合、第１操作ダイヤルＤ１への接触か否かが判定される。同様に、現時点で第２操作ダイヤルＤ２のイメージ画像ｉＤ２が最前面に表示されている場合、第２操作ダイヤルＤ２への接触か否かが判定される。
【０２２２】
現時点でイメージ画像が最前面に表示されている操作ダイヤルへの接触である、と判定すると、切り替えの処理は行わず、ステップＳ１４の処理に移行する。すなわち、デジタルカメラ１の電源がオフされたか否かを判定する（ステップＳ１４）。電源がオフされていない、と判定すると、ステップＳ１１に戻り、再度、接触の検出の有無を判定する（ステップＳ１１）。
【０２２３】
一方、現時点でイメージ画像が最前面に表示されている操作ダイヤルへの接触ではない、と判定すると、サブディスプレー表示制御部１１４は、重ね合わせの切り替えの処理を実行する（ステップＳ１３）。すなわち、重ね合わせの前後を切り替える。たとえば、図１０に示すように、第２操作ダイヤルＤ２のイメージ画像ｉＤ２が最前面に表示されている場合において、第１操作ダイヤルＤ１への指の接触が検出された場合は、図９に示すように、第１操作ダイヤルＤ１のイメージ画像ｉＤ１が最前面に表示されるように表示を切り替える。同様に、図９に示すように、第１操作ダイヤルＤ１のイメージ画像ｉＤ１が最前面に表示されている場合において、第２操作ダイヤルＤ２への指の接触が検出された場合は、図１０に示すように、第２操作ダイヤルＤ２のイメージ画像ｉＤ２が最前面に表示されるように表示を切り替える。
【０２２４】
このように、実際の操作ダイヤルへの指の接触の検出結果に基づいて、重ね合わせの順番を制御する。そして、常に接触が検出された操作ダイヤルのイメージ画像が前面に表示されるように、表示を制御する。
【０２２５】
＜イメージ画像の回転＞
第１操作ダイヤルＤ１及び第２操作ダイヤルＤ２のイメージ画像ｉＤ１、ｉＤ２は、それぞれ実際の第１操作ダイヤルＤ１及び第２操作ダイヤルＤ２の回転に連動して回転する。
【０２２６】
サブディスプレー表示制御部１１４は、第１操作ダイヤルＤ１に備えられた第１操作ダイヤル操作検出部Ｄ１ａ、及び、第２操作ダイヤルＤ２に備えられた第２操作ダイヤル操作検出部Ｄ２ａの出力に基づいて、２つのイメージ画像ｉＤ１、ｉＤ２の表示を制御する。すなわち、各操作ダイヤルの回転に連動して、各操作ダイヤルのイメージ画像を回転させる。
【０２２７】
《第１操作ダイヤル及び第２操作ダイヤルを用いた操作系の作用》
第１操作ダイヤルＤ１及び第２操作ダイヤルＤ２に割り当てられる機能は、デジタルカメラ１の状態に応じて、自動的に切り替わる。そして、その割り当てられた機能に応じた画像で構成される操作ダイヤルのイメージ画像がサブディスプレー１６に表示される。
【０２２８】
たとえば、デジタルカメラ１が撮影モードに設定され、シャッタースピード優先モードが選択された場合、第１操作ダイヤルＤ１にはシャッタースピードを設定する機能が割り当てられ、第２操作ダイヤルＤ２には露出補正量を設定する機能が割り当てられる。
【０２２９】
この場合、第１操作ダイヤルＤ１に触れると、図９に示すように、第１操作ダイヤルＤ１のイメージ画像ｉＤ１が最前面に表示される。更に、回転操作されると、その回転に連動して、第１操作ダイヤルＤ１のイメージ画像ｉＤ１が回転する。これにより、サブディスプレー１６を見ながら第１操作ダイヤルＤ１を用いて、シャッタースピードを設定できる。また、この際、ユーザーは、あたかもシャッタースピードダイヤルが天面に備えられているかのような感覚でシャッタースピードを設定できる。
【０２３０】
また、第２操作ダイヤルＤ２に触れると、図１０に示すように、第２操作ダイヤルＤ２のイメージ画像ｉＤ２が最前面に表示される。更に、回転操作されると、その回転に連動して、第２操作ダイヤルＤ２のイメージ画像ｉＤ２が回転する。これにより、サブディスプレー１６を見ながら第２操作ダイヤルＤ２を用いて、露出補正量を設定できる。
【０２３１】
このように、本実施の形態のデジタルカメラ１では、サブディスプレー１６に各操作ダイヤルのイメージ画像が表示される。これにより、実際に操作ダイヤルが天面に備えられている場合と同じ操作感覚で各種設定を行うことができる。
【０２３２】
また、各操作ダイヤルのイメージ画像は重ねて表示されるので、サブディスプレー１６のサイズが小さくても、十分な視認性を確保できる。これにより、良好な操作性を提供できる。
【０２３３】
更に、実際の操作ダイヤルへの指の接触に連動して、重ね合わせの順番が制御されるので、ユーザーが求める情報を適切に表示できる。これにより、良好な操作性を提供できる。
【０２３４】
［変形例］
《カメラの設定内容の表示の変形例》
上記実施の形態では、カメラの設定内容として、シャッタースピード、絞り値、ＩＳＯ感度、露出補正量、撮影可能枚数、及び、バッテリー残量の情報を表示しているが、カメラの設定内容として表示する項目は、これに限定されるものではない。この他、たとえば、フラッシュの設定情報、フラッシュの調光補正量の情報、マクロモードの設定情報、連写モードの設定情報、ホワイトバランスの設定情報、ＡＦモードの設定情報、画像サイズの設定情報、画質の設定情報、手ブレ補正の設定情報等をカメラの設定内容の情報として表示できる。
【０２３５】
なお、上記のように、カメラの設定内容ｉＣとして表示する項目には、第１操作ダイヤルＤ１及び第２操作ダイヤルＤ２によって設定し得る項目の情報を含めることが好ましい。これにより、イメージ画像が下に隠れた場合であっても、カメラの設定内容ｉＣの表示から現在の設定値を確認でき、より良好な操作性を提供できる。
【０２３６】
また、イメージ画像が最前面に表示された操作ダイヤルによって設定される項目については、カメラの設定内容ｉＣとして表示する項目から除外してもよい。
【０２３７】
図１７及び図１８は、カメラの設定内容の一部を非表示とする場合のサブディスプレーの表示の一例を示す平面図である。
【０２３８】
図１７及び図１８には、第１操作ダイヤルＤ１によって設定変更される項目がシャッタースピード、第２操作ダイヤルＤ２によって設定変更される項目が露出補正量の場合の例が示されている。
【０２３９】
なお、図１７は、第１操作ダイヤルＤ１のイメージ画像ｉＤ１が最前面に表示される場合の例を示している。また、図１８は、第２操作ダイヤルＤ２のイメージ画像ｉＤ２が最前面に表示される場合の例を示している。
【０２４０】
第１操作ダイヤルＤ１のイメージ画像ｉＤ１が最前面に表示される場合、図１７に示すように、カメラの設定内容ｉＣとして表示する項目からシャッタースピードの情報が除外される。この場合、現在設定されている絞り値の情報ｉ２、現在設定されているＩＳＯ感度の情報ｉ３、現在設定されている露出補正量の情報ｉ４、現在の撮影可能枚数の情報ｉ５、及び、現在のバッテリー残量の情報ｉ６が、カメラの設定内容ｉＣとして表示される。
【０２４１】
一方、第２操作ダイヤルＤ２のイメージ画像ｉＤ２が最前面に表示される場合、図１８に示すように、カメラの設定内容ｉＣとして表示する項目から露出補正量の情報が除外される。この場合、現在設定されているシャッタースピードの情報ｉ１、絞り値の情報ｉ２、現在設定されているＩＳＯ感度の情報ｉ３、現在の撮影可能枚数の情報ｉ５、及び、現在のバッテリー残量の情報ｉ６が、カメラの設定内容ｉＣとして表示される。
【０２４２】
このように、イメージ画像が最前面に表示された操作ダイヤルによって設定される項目の情報をカメラの設定内容ｉＣとして表示する項目から除外することにより、重複した表示を排除できる。これにより、カメラの設定内容ｉＣとして表示する項目の情報を大きなサイズで表示したり、カメラの設定内容ｉＣとして表示する項目の数を増やしたりできる。
【０２４３】
なお、イメージ画像が最前面に表示される操作ダイヤル以外の操作ダイヤルの設定値については、必ずカメラの設定内容ｉＣの一項目として余白領域に表示することが好ましい。これにより、イメージ画像が下に隠れた場合であっても、その操作ダイヤルによって設定される項目の設定値を確認できる。
【０２４４】
《操作ダイヤルのイメージ画像の変形例》
操作ダイヤルのイメージ画像を構成する画像は、少なくともダイヤルとして認識可能な外形形状を有し、かつ、割り当てられている機能、すなわち、操作した場合に設定変更される項目を認識できる画像であればよい。したがって、円又は円弧状の外形形状を有し、その内部、すなわち、文字盤部分に割り当てられた機能を認識できる情報が付加されていればよい。
【０２４５】
〈割り当てられた機能を表示する場合〉
図１９は、操作ダイヤルのイメージ画像の他の一例を示す図である。同図は、操作ダイヤルによって設定される項目がシャッタースピードの場合のイメージ画像の他の一例を示している。
【０２４６】
同図に示す例では、ダイヤルの外形を模した画像の内部（文字盤部分）に「ＳＨＵＴＴＥＲ  ＳＰＥＥＤ」の文字を表示した図形で操作ダイヤルのイメージ画像ｉＤを構成している。
【０２４７】
操作ダイヤルで設定変更される項目が絞り値の場合は「ＩＲＩＳ」、ＩＳＯ感度の場合は「ＩＳＯ」、露出補正量の場合は「ＥＸＰＯＳＵＲＥ  ＣＯＭＰＥＮＳＡＴＩＯＮ」等と表示される。
【０２４８】
〈割り当てられた機能の現在の設定値を表示する場合〉
図２０は、操作ダイヤルのイメージ画像の他の一例を示す図である。同図は、操作ダイヤルによって設定される項目がシャッタースピードの場合のイメージ画像の他の一例を示している。
【０２４９】
同図に示す例では、ダイヤルの外形を模した画像の内部（文字盤部分）に操作ダイヤルを操作した場合に設定変更される項目の現在の設定値を表示した画像で操作ダイヤルのイメージ画像ｉＤを構成している。同図に示す例は、現在のシャッタースピードが１／６０秒の場合の例である。
【０２５０】
操作ダイヤルで設定変更される項目が絞り値の場合は、現在設定されている絞り値（Ｆ５．６等）、ＩＳＯ感度の場合は、現在設定されているＩＳＯ感度（ＩＳＯ４００等）、露出補正量の場合は、現在設定されている露出補正量（±０等）が表示される。
【０２５１】
図２１は、操作ダイヤルのイメージ画像の他の一例を示す図である。特に、同図は操作ダイヤルに触れた場合のイメージ画像の一例を示している。なお、同図は、操作ダイヤルによって設定される項目がシャッタースピードの場合の例を示している。
【０２５２】
同図に示すように、実際の操作ダイヤルに指が触れられた場合は、操作ダイヤルを操作することによって設定を変更できることを画像から把握できる形態に変化させてもよい。図２１に示す例では、第１操作ダイヤルＤ１を操作することによって、シャッタースピードを設定変更できることを示すため、現在の設定値の両側に三角形状の図形を表示させている。
【０２５３】
なお、操作ダイヤルが回転操作された場合にイメージ画像の表示形態を変化させるようにしてもよい。
【０２５４】
〈割り当てられた機能、及び、その現在の設定値を表示する場合〉
図２２は、操作ダイヤルのイメージ画像の他の一例を示す図である。同図は、操作ダイヤルによって設定される項目がシャッタースピードの場合のイメージ画像の他の一例を示している。
【０２５５】
同図に示す例では、ダイヤルの外形を模した画像の内部（文字盤部分）に「ＳＨＵＴＴＥＲ  ＳＰＥＥＤ」の文字、及び、現在の設定値を表示した図形で操作ダイヤルのイメージ画像ｉＤを構成している。
【０２５６】
操作ダイヤルで設定変更される項目が絞り値の場合は、「ＩＲＩＳ」の文字及び現在の絞りの設定値が表示される。また、操作ダイヤルで設定変更される項目がＩＳＯ感度の場合は、「ＩＳＯ」の文字、及び、現在のＩＳＯ感度の設定値が表示される。また、操作ダイヤルで設定変更される項目が露出補正量の場合は、「ＥＸＰＯＳＵＲＥ  ＣＯＭＰＥＮＳＡＴＩＯＮ」の文字、及び、現在の露出補正量が表示される。
【０２５７】
〈操作ダイヤルで設定可能な設定値を文字盤部分に並べて表示する場合〉
図２３から図２６は、それぞれ操作ダイヤルのイメージ画像の他の一例を示す図である。図２３から図２６は、それぞれ操作ダイヤルで設定可能な設定値を文字盤部分に並べて表示する場合の一例を示している。特に、図２３から図２５は、操作ダイヤルで設定可能な設定値をイメージ画像の外形を画定する円弧に沿って並べて表示する場合の例を示している。
【０２５８】
図２３は、操作ダイヤルによって設定される項目がシャッタースピードの場合の一例を示している。特に、同図は、設定可能なシャッタースピードをイメージ画像の外形を画定する円弧に沿って一定の間隔で並べて表示する場合の例を示している。なお、本例では、図１１に示す例と異なり、シャッタースピードを示す数値を傾けずに表示している。サブディスプレー１６に表示するレイアウトによっては、このように数値を傾けずに表示した方が見やすい場合もある。したがって、そのような場合は、本例のように、数値を傾けずに表示する。
【０２５９】
図２４は、操作ダイヤルによって設定される項目が絞り値の場合の一例を示している。特に、同図は、設定可能な絞り値をイメージ画像の外形を画定する円弧に沿って一定の間隔で並べて表示する場合の例を示している。なお、本例においても、絞り値を示す数値を傾けずに表示している。
【０２６０】
図２５は、操作ダイヤルによって設定される項目が露出補正量の場合の一例を示している。特に、同図は、設定可能な露出補正量をイメージ画像の外形を画定する円弧に沿って一定の間隔で並べて表示する場合の例を示している。なお、本例においても、露出補正量を示す数値を傾けずに表示している。
【０２６１】
図２６は、操作ダイヤルによって設定される項目がＩＳＯ感度の場合の一例を示している。特に、同図は、設定可能なＩＳＯ感度を一列に並べて表示する場合の例を示している。サブディスプレー１６に表示するレイアウトによっては、このように設定値を表示した方が見やすい場合もある。したがって、そのような場合は、本例のように、設定可能な設定値を一列に並べて表示する。
【０２６２】
このように、操作ダイヤルで設定可能な設定値を文字盤部分に表示する場合、その表示形態は、種々の態様を採用できる。操作ダイヤルで設定可能な設定値を文字盤部分に並べて表示することにより、設定可能な設定値を見やすく表示できる。
【０２６３】
なお、本例のようにイメージ画像の文字盤部分に操作ダイヤルで設定可能な設定値を表示する場合、必ずしもすべての設定可能な設定値を表示する必要はない。現在設定されている設定値の前後一定範囲の数値のみを表示させるだけでもよい。
【０２６４】
また、本例では、指標のイメージ画像も表示しているが、文字盤上で現在の設定値を認識可能な形態で表示した場合には、指標のイメージ画像は不要である。たとえば、文字盤上で現在の設定値を枠等で囲んで表示するような場合は、現在の設定値を文字盤上で認識可能であるので、指標のイメージ画像の表示は不要である。
【０２６５】
〔第２の実施の形態〕
本実施の形態のデジタルカメラでは、操作ダイヤルに触れている場合と触れていない場合とでサブディスプレー１６に表示される操作ダイヤルのイメージ画像の表示形態が切り替わる。換言すると、操作中と操作の待機中とでサブディスプレー１６に表示される操作ダイヤルのイメージ画像が異なる。
【０２６６】
なお、上記第１の実施の形態のデジタルカメラとは、サブディスプレー１６の表示が異なるだけである。したがって、ここでは、サブディスプレー１６の表示についてのみ説明する。
【０２６７】
なお、以下においては、第１操作ダイヤルＤ１にシャッタースピードを設定する機能が割り当てられ、第２操作ダイヤルＤ２に露出補正量を設定する機能が割り当てられた場合を例に説明する。
【０２６８】
《サブディスプレーの表示》
〈第１操作ダイヤルに触れた場合〉
図２７は、第１操作ダイヤルに触れた場合のサブディスプレーの表示を示す平面図である。
【０２６９】
同図に示すように、第１操作ダイヤルＤ１に触れた場合、すなわち、第１操作ダイヤルＤ１への接触が検出された場合、第１操作ダイヤルＤ１のイメージ画像ｉＤ１ａが最前面に表示される。
【０２７０】
この場合、第１操作ダイヤルＤ１のイメージ画像ｉＤ１ａは、実際のシャッタースピードダイヤルを模した画像で構成される。すなわち、文字盤部分に選択可能なシャッタースピードが、周方向に一定の間隔で表示された画像で構成される。これにより、ユーザーは、第１操作ダイヤルＤ１を操作して、シャッタースピードを変更できることを把握できる。また、その設定可能範囲も把握できる。
【０２７１】
なお、図２７に示す例では、カメラの設定内容ｉＣとして表示する情報からシャッタースピードの情報を除外している。現在のシャッタースピードの設定は、第１操作ダイヤルＤ１のイメージ画像から確認できるので、カメラの設定内容ｉＣとして表示する情報から除外している。
【０２７２】
一方、現在の露出補正量については、カメラの設定内容ｉＣの一項目として余白領域に表示される。これにより、第２操作ダイヤルＤ２のイメージ画像ｉＤ２ｂが隠れている場合であっても、その設定値を確認できる。
【０２７３】
図２７に示す表示は、第１操作ダイヤルＤ１に指が触れ続けている限り継続される。すなわち、第１操作ダイヤルＤ１への指の接触が検出され続けている限り継続される。
【０２７４】
〈第１操作ダイヤルに触れた後に指を離した場合〉
図２８は、第１操作ダイヤルに指で触れた後に指を離した場合のサブディスプレーの表示を示す平面図である。
【０２７５】
同図に示すように、第１操作ダイヤルＤ１に触れた後、指を離しても第１操作ダイヤルＤ１のイメージ画像ｉＤ１ｂが最前面に表示され続ける。サブディスプレー１６には、最後に指が触れた操作ダイヤルのイメージ画像が最前面に表示される。
【０２７６】
しかし、指が離れた場合、すなわち、指の接触が検出されなくなった場合は、イメージ画像の表示形態が切り替わる。本例では、図２８に示すように、現在設定されているシャッタースピードが文字盤部分に大きく表示される。
【０２７７】
このように、第１操作ダイヤルＤ１に指が触れられていない場合、すなわち、操作待機中は、第１操作ダイヤルＤ１によって設定される項目の現在の設定値のみが文字盤部分に表示される。これにより、第１操作ダイヤルＤ１によって設定される項目の現在の設定を容易に把握でき、より良好な操作性を提供できる。
【０２７８】
〈第２操作ダイヤルに触れた場合〉
図２９は、第２操作ダイヤルに触れた場合のサブディスプレーの表示を示す平面図である。
【０２７９】
同図に示すように、第２操作ダイヤルＤ２に触れた場合、すなわち、第２操作ダイヤルＤ２への接触が検出された場合、第２操作ダイヤルＤ２のイメージ画像ｉＤ２ａが最前面に表示される。
【０２８０】
このとき、第２操作ダイヤルＤ２のイメージ画像ｉＤ２ａは、実際の露出補正ダイヤルを模した画像で構成される。すなわち、文字盤部分に選択可能な露出補正量が、周方向に一定の間隔で表示された画像で構成される。これにより、ユーザーは、第２操作ダイヤルＤ２を操作して、露出補正できることを把握できる。また、その設定可能範囲も把握できる。
【０２８１】
なお、図２９に示す例では、カメラの設定内容ｉＣとして表示する情報から露出補正量の情報を除外している。現在の露出補正量は、第２操作ダイヤルＤ２のイメージ画像から確認できるので、カメラの設定内容ｉＣとして表示する情報から除外している。
【０２８２】
一方、シャッタースピードの設定については、カメラの設定内容ｉＣの一項目として余白領域に表示される。これにより、第１操作ダイヤルＤ１のイメージ画像ｉＤ１ｂが隠れている場合であっても、その設定値を確認できる。
【０２８３】
図２９に示す表示は、第２操作ダイヤルＤ２に指が触れ続けている限り継続される。すなわち、第２操作ダイヤルＤ２への指の接触が検出され続けている限り継続される。
【０２８４】
〈第２操作ダイヤルに触れた後に指を離した場合〉
図３０は、第２操作ダイヤルに指で触れた後に指を離した場合のサブディスプレーの表示を示す平面図である。
【０２８５】
同図に示すように、第２操作ダイヤルＤ２に触れた後、指を離しても第２操作ダイヤルＤ２のイメージ画像ｉＤ２ｂが最前面に表示され続ける。サブディスプレー１６には、最後に指が触れた操作ダイヤルのイメージ画像が最前面に表示される。
【０２８６】
しかし、指が離れた場合、すなわち、指の接触が検出されなくなった場合は、イメージ画像の表示形態が切り替わる。本例では、図３０に示すように、現在設定されている露出補正量が文字盤部分に大きく表示される。
【０２８７】
このように、第２操作ダイヤルＤ２に指が触れられていない場合、すなわち、操作待機中は、第２操作ダイヤルＤ２によって設定される項目の現在の設定値のみが文字盤部分に表示される。これにより、第２操作ダイヤルＤ２によって設定される項目の現在の設定を容易に把握でき、より良好な操作性を提供できる。
【０２８８】
［変形例］
《イメージ画像の他の例》
上記実施の形態で示した各操作ダイヤルのイメージ画像は一例である。
【０２８９】
図３１は、第１操作ダイヤルに触れた場合のサブディスプレーの他の表示の一例を示す平面図である。
【０２９０】
同図に示す例では、文字盤部分に現在の設定値を表示し、かつ、その両側に三角形状の図形を表示している。
【０２９１】
この場合、第１操作ダイヤルＤ１から指を離すと、現在の設定値の両側に表示された三角形状の図形が消える。すなわち、現在の設定値のみが文字盤部分に表示される（図２８参照）。
【０２９２】
この他、操作ダイヤルに触れていない場合は、文字盤部分に現在の設定値を静止させた状態で表示し（図２８参照）、触れられた場合は、文字盤部分に表示された現在の設定値を点滅させるようにしてもよい。
【０２９３】
《イメージ画像の表示形態の変形例》
最前面に表示されるイメージ画像を除いて、その他のイメージ画像は、少なくとも一部が他のイメージ画像に隠れて表示される。この場合、文字盤部分に設定値を表示しても、視認できない場合がある。そこで、最前面に表示されるイメージ画像以外のイメージ画像は、他の操作ダイヤルのイメージ画像が重ねられる領域を避けて現在の設定値を文字盤部分に表示する。
【０２９４】
図３２及び図３３は、他の操作ダイヤルのイメージ画像が重ねられる領域を避けて現在の設定値を文字盤部分に表示する場合のイメージ画像の表示の一例を示す図である。
【０２９５】
図３２は、第１操作ダイヤルＤ１に触れた場合のサブディスプレー１６の表示の一例を示している。この場合、第１操作ダイヤルＤ１のイメージ画像ｉＤ１ａが最前面に表示される。第２操作ダイヤルＤ２のイメージ画像ｉＤ２ｂは、その第１操作ダイヤルＤ１のイメージ画像ｉＤ１ａによって一部が隠されて表示される。すなわち、重なった部分が隠されて表示される。この場合、第２操作ダイヤルＤ２の現在の設定値を文字盤部分の中央に表示すると、その表示が隠れて見えなくなる（図２７参照）。
【０２９６】
そこで、図３２に示すように、第２操作ダイヤルＤ２のイメージ画像ｉＤ２ｂは、第１操作ダイヤルＤ１のイメージ画像ｉＤ１ａが重なる領域を避けて、現在の設定値を文字盤部分に表示する。第１操作ダイヤルＤ１のイメージ画像ｉＤ１ａが重なる領域は既知であるので、その領域を避けて現在の設定値を表示する。この場合、必要に応じて文字のサイズを調整して表示する。
【０２９７】
図３３は、第２操作ダイヤルＤ２に触れた場合のサブディスプレー１６の表示の一例を示している。この場合、第２操作ダイヤルＤ２のイメージ画像ｉＤ２ａが最前面に表示される。第１操作ダイヤルＤ１のイメージ画像ｉＤ１ｂは、その第２操作ダイヤルＤ２のイメージ画像ｉＤ２ａによって一部が隠されて表示される。したがって、この場合、図３３に示すように、第１操作ダイヤルＤ１のイメージ画像ｉＤ１ｂは、第２操作ダイヤルＤ２のイメージ画像ｉＤ２ａが重なる領域を避けて、現在の設定値が文字盤部分に表示される。第２操作ダイヤルＤ２のイメージ画像ｉＤ２ａが重なる領域は既知であるので、その領域を避けて現在の設定値を表示する。この場合、必要に応じて文字のサイズを調整して表示する。
【０２９８】
なお、重ねても下側のイメージ画像の表示を視認できる場合は、本例のような処理は不要である。すなわち、表示のレイアウトの仕方によっては、下側に隠れるイメージ画像の文字盤部分の表示を視認できる場合もあるので、そのような場合は、必ずしも表示形態を切り替える必要はない。
【０２９９】
図３４は、本例の操作ダイヤルのイメージ画像の表示処理の手順を示すフローチャートである。
【０３００】
サブディスプレー表示制御部１１４は、第１操作ダイヤルＤ１及び第２操作ダイヤルＤ２への指の接触の有無を判定する（ステップＳ２１）。
【０３０１】
接触の検出あり、と判定すると、現時点でイメージ画像が最前面に表示されている操作ダイヤルへの接触か否かを判定する（ステップＳ２２）。
【０３０２】
現時点でイメージ画像が最前面に表示されている操作ダイヤルへの接触である、と判定すると、切り替えの処理は行わず、ステップＳ２６の処理に移行する。すなわち、デジタルカメラ１の電源がオフされたか否かを判定する（ステップＳ２６）。電源がオフされていない、と判定すると、ステップＳ２１に戻り、再度、接触の検出の有無を判定する（ステップＳ２１）。
【０３０３】
一方、現時点でイメージ画像が最前面に表示されている操作ダイヤルへの接触ではない、と判定すると、サブディスプレー表示制御部１１４は、重ね合わせの順番を切り替える（ステップＳ２３）。
【０３０４】
サブディスプレー表示制御部１１４は、重ね合わせの順番を切り替えた場合、上側に表示されるイメージ画像によって下側のイメージ画像の文字盤部分の表示が隠れるか否か判定する（ステップＳ２４）。判定は、たとえば、テーブルを参照して行う。
【０３０５】
上側に表示されるイメージ画像によって下側のイメージ画像の文字盤部分の表示が隠れない場合は、表示形態の切り替えは行わない。
【０３０６】
一方、上側に表示されるイメージ画像によって下側のイメージ画像の文字盤部分の表示が隠れる場合は、下側のイメージ画像の表示形態の切り替えが行われる。すなわち、現在の設定値の表示が隠れないように、表示形態を変更する（ステップＳ２５）。
【０３０７】
このように、下側に隠れるイメージ画像については、重なる領域を避けて、現在の設定値を文字盤部分に表示することにより、現在の設定値を容易に確認できる。これにより、より操作性を向上できる。
【０３０８】
〔第３の実施の形態〕
本実施の形態のデジタルカメラでは、いずれの操作ダイヤルにも触れられていない場合、互いに重なり合う領域で分割して各操作ダイヤルのイメージ画像が表示される。
【０３０９】
なお、上記第１の実施の形態のデジタルカメラとは、サブディスプレー１６の表示が異なるだけである。したがって、ここでは、サブディスプレー１６の表示についてのみ説明する。
【０３１０】
なお、以下においては、第１操作ダイヤルＤ１にシャッタースピードを設定する機能が割り当てられ、第２操作ダイヤルＤ２に露出補正量を設定する機能が割り当てられた場合を例に説明する。
【０３１１】
《サブディスプレーの表示》
〈第１操作ダイヤル及び第２操作ダイヤルに触れられていない場合〉
図３５は、本実施の形態のデジタルカメラのサブディスプレーの表示の一例を示す平面図である。同図は、いずれの操作ダイヤルにも指が触れられていない場合、すなわち、指の接触が検出されていない場合のサブディスプレー１６の表示を示している。なお、破線は重なりを示すものであり、実際に画面中に表示されるものではない。
【０３１２】
図３５に示すように、第１操作ダイヤルＤ１のイメージ画像ｉＤ１、及び、第２操作ダイヤルＤ２のイメージ画像ｉＤ２は、互いに重なり合う位置に表示される。そして、互いに重なり合う領域において、分割して表示される。分割して表示される、とは、換言すると、重なり合う領域において、切り欠いて表示されることを意味する。
【０３１３】
図３５に示す例では、第１操作ダイヤルＤ１のイメージ画像ｉＤ１の外形を画定する円と、第２操作ダイヤルＤ２のイメージ画像ｉＤ２の外形を画定する円との交点を結ぶ直線で分割して、第１操作ダイヤルＤ１のイメージ画像ｉＤ１及び第２操作ダイヤルＤ２のイメージ画像ｉＤ２を表示している。
【０３１４】
また、図３５に示す例では、第１操作ダイヤルＤ１のイメージ画像ｉＤ１として、ダイヤルの外形形状を表わす円の内側（文字盤部分）に現在の設定値を表示した画像を採用している。同様に、第２操作ダイヤルＤ２のイメージ画像ｉＤ２として、ダイヤルの外形形状を表わす円の内側（文字盤部分）に現在の設定値を表示した画像を採用している。
【０３１５】
このように、いずれの操作ダイヤルにも触れられていない場合、互いに重なり合う領域で分割して各操作ダイヤルのイメージ画像が表示される。これにより、各操作ダイヤルで設定される項目の現在の設定を確認できる。
【０３１６】
なお、図３５に示す例では、カメラの設定内容ｉＣとして表示する項目からシャッタースピード及び露出補正量の情報を除外している。シャッタースピード及び露出補正量の情報は、第１操作ダイヤルＤ１及び第２操作ダイヤルＤ２のイメージ画像ｉＤ１、ｉＤ２で確認できるので、表示を省略している。これにより、重複した表示を排除できる。
【０３１７】
〈第１操作ダイヤルに触れた場合〉
第１操作ダイヤルＤ１に触れた場合、すなわち、第１操作ダイヤルＤ１への接触が検出された場合、第２操作ダイヤルＤ２のイメージ画像ｉＤ２の上に第１操作ダイヤルＤ１のイメージ画像ｉＤ１が重ねて表示される。すなわち、図２８に示すように、第１操作ダイヤルＤ１のイメージ画像ｉＤ１が最前面に表示される。
【０３１８】
これにより、第１操作ダイヤルＤ１を操作してシャッタースピードを設定する際、良好な操作性を提供できる。
【０３１９】
〈第２操作ダイヤルに触れた場合〉
第２操作ダイヤルＤ２に触れた場合、すなわち、第２操作ダイヤルＤ２への接触が検出された場合、第１操作ダイヤルＤ１のイメージ画像ｉＤ１の上に第２操作ダイヤルＤ２のイメージ画像ｉＤ２が重ねて表示される。すなわち、図３０に示すように、第２操作ダイヤルＤ２のイメージ画像ｉＤ２が最前面に表示される。
【０３２０】
これにより、第２操作ダイヤルＤ２を操作して露出補正する際、良好な操作性を提供できる。
【０３２１】
［変形例］
上記実施の形態で示した各操作ダイヤルのイメージ画像は一例である。操作ダイヤルのイメージ画像として、実際の操作ダイヤルを模した画像を採用してもよい（図１１〜図１４、図２３〜図２６参照）。
【０３２２】
また、操作ダイヤルに触れられている場合と触れられていない場合とで各操作ダイヤルのイメージ画像の表示形態を切り替えてもよい。
【０３２３】
さらに、重ねて表示する場合は、上記第１又は第２の実施の形態及びその変形例で説明した表示態様を適宜採用できる。
【０３２４】
〔第４の実施の形態〕
図３６は、第４の実施の形態のデジタルカメラの正面図である。また、図３７は、第４の実施の形態のデジタルカメラの平面図である。
【０３２５】
図３６及び図３７に示すように、本実施の形態のデジタルカメラ１は、サブディスプレー１６の近傍に３つの操作ダイヤルを備える。具体的には、カメラボディ１０の背面に第１操作ダイヤルＤ１が備えられ、カメラボディ１０の天面に第２操作ダイヤルＤ２が備えられる。更に、カメラボディ１０の正面に第３操作ダイヤルＤ３が備えられる。
【０３２６】
第１操作ダイヤルＤ１及び第２操作ダイヤルＤ２は、上記第１の実施の形態のデジタルカメラに備えられた第１操作ダイヤルＤ１及び第２操作ダイヤルＤ２と同じである。
【０３２７】
第３操作ダイヤルＤ３は、グリップ２２の上端部に備えられる。この第３操作ダイヤルＤ３が備えられる位置は、グリップ２２を把持する右手の人指し指で操作可能な位置である。また、この位置は、サブディスプレー１６に対して前方の位置である。
【０３２８】
第３操作ダイヤルＤ３の構成は、第１操作ダイヤルＤ１の構成と同じである。すなわち、双方向に回転操作可能であり、かつ、クリック機構を備えている。また、その接触がタッチセンサーによって検出される。
【０３２９】
その他の構成は、上記第１の実施の形態のデジタルカメラと同じである。
【０３３０】
各操作ダイヤルＤ１、Ｄ２、Ｄ３の操作対象は、デジタルカメラの状態に応じて自動的に切り替わる。たとえば、撮影モードにおいて、プログラムモードが選択されると、第１操作ダイヤルＤ１にはプログラムシフトの機能、第２操作ダイヤルＤ２には、露出補正量を設定する機能、第３操作ダイヤルＤ３には、ＩＳＯ感度を設定する機能が割り当てられる。
【０３３１】
また、シャッタースピード優先モードが選択されると、第１操作ダイヤルＤ１には、シャッタースピードを設定する機能、第２操作ダイヤルＤ２には、露出補正量を設定する機能、第３操作ダイヤルＤ３にはＩＳＯ感度を設定する機能が割り当てられる。
【０３３２】
更に、絞り優先モードが選択されると、第１操作ダイヤルＤ１には、絞り値を設定する機能、第２操作ダイヤルＤ２には、露出補正量を設定する機能、第３操作ダイヤルＤ３には、ＩＳＯ感度を設定する機能が割り当てられる。
【０３３３】
また、マニュアルモードが選択されると、第１操作ダイヤルＤ１には、シャッタースピードを設定する機能、第２操作ダイヤルＤ２には、露出補正量を設定する機能、第３操作ダイヤルＤ３には、絞り値を設定する機能が割り当てられる。
【０３３４】
《サブディスプレーの表示》
ここでは、第１操作ダイヤルＤ１にシャッタースピードを設定する機能が割り当てられ、第２操作ダイヤルＤ２に露出補正量を設定する機能が割り当てられ、第３操作ダイヤルＤ３にＩＳＯ感度を設定する機能が割り当てられた場合を例に説明する。すなわち、撮影モードに設定され、かつ、シャッタースピード優先モードが選択された場合を例に説明する。
【０３３５】
図３８から図４０は、サブディスプレーの表示の一例を示す平面図である。図３８は、第１操作ダイヤルＤ１への接触が検出された場合のサブディスプレー１６の表示を示している。図３９は、第２操作ダイヤルＤ２への接触が検出された場合のサブディスプレー１６の表示を示している。図４０は、第３操作ダイヤルＤ３への接触が検出された場合のサブディスプレー１６の表示を示している。
【０３３６】
図３８から図４０に示すように、各操作ダイヤルＤ１、Ｄ２、Ｄ３のイメージ画像ｉＤ１、ｉＤ２、ｉＤ３は、互いに重なり合う位置に表示される。
【０３３７】
第１操作ダイヤルＤ１のイメージ画像ｉＤ１の表示位置及び第２操作ダイヤルＤ２のイメージ画像ｉＤ２の表示位置は、上述した第１の実施の形態のデジタルカメラと同じである。
【０３３８】
第３操作ダイヤルＤ３のイメージ画像ｉＤ３は、サブディスプレー１６の前方の縁（辺）から表示される。すなわち、一部が枠外に隠れた状態で前方の縁からサブディスプレー１６の表示領域に張り出すように表示される。
【０３３９】
第３操作ダイヤルＤ３は、サブディスプレー１６に対して前方に配置されているので、その近傍の縁である前方の縁からそのイメージ画像ｉＤ３を表示させている。
【０３４０】
余白領域には、カメラの設定内容ｉＣが表示される。本例では、カメラの設定内容ｉＣとして、現在設定されているシャッタースピードの情報ｉ１、現在設定されている絞り値の情報ｉ２、現在設定されているＩＳＯ感度の情報ｉ３、現在設定されている露出補正量の情報ｉ４、及び、現在の撮影可能枚数の情報ｉ５を表示している。
【０３４１】
〈第１操作ダイヤルに触れた場合〉
第１操作ダイヤルＤ１に触れた場合、すなわち、第１操作ダイヤルＤ１への接触が検出された場合、図３８に示すように、第１操作ダイヤルＤ１のイメージ画像ｉＤ１が最前面に表示される。
【０３４２】
第１操作ダイヤルＤ１に触れた後、その指を離した場合も図３８の表示が継続される。すなわち、第１操作ダイヤルＤ１のイメージ画像ｉＤ１が最前面に表示され続ける。
【０３４３】
〈第２操作ダイヤルに触れた場合〉
第２操作ダイヤルＤ２に触れた場合、すなわち、第２操作ダイヤルＤ２への接触が検出された場合、図３９に示すように、第２操作ダイヤルＤ２のイメージ画像ｉＤ２が最前面に表示される。
【０３４４】
第２操作ダイヤルＤ２に触れた後、その指を離した場合も図３９の表示が継続される。すなわち、第２操作ダイヤルＤ２のイメージ画像ｉＤ２が最前面に表示され続ける。
【０３４５】
なお、図３９は、第１操作ダイヤルＤ１に触れた後、第２操作ダイヤルＤ２に触れた場合の表示例が示されている。この場合、第１操作ダイヤルＤ１のイメージ画像ｉＤ１の上に第２操作ダイヤルＤ２のイメージ画像ｉＤ２が重ねて表示される。
【０３４６】
〈第３操作ダイヤルに触れた場合〉
第３操作ダイヤルＤ３に触れた場合、すなわち、第３操作ダイヤルＤ３への接触が検出された場合、図４０に示すように、第３操作ダイヤルＤ３のイメージ画像ｉＤ３が最前面に表示される。
【０３４７】
第３操作ダイヤルＤ３に触れた後、その指を離した場合も図４０の表示が継続される。すなわち、第３操作ダイヤルＤ３のイメージ画像ｉＤ３が最前面に表示され続ける。
【０３４８】
なお、図４０は、第２操作ダイヤルＤ２に触れた後、第３操作ダイヤルＤ３に触れた場合の表示例が示されている。この場合、第２操作ダイヤルＤ２のイメージ画像ｉＤ２の上に第３操作ダイヤルＤ３のイメージ画像ｉＤ３が重ねて表示される。
【０３４９】
このように、操作ダイヤルが３つ備えられている場合も各操作ダイヤルのイメージ画像が互いに重なるように表示され、その重なる順番が接触の検出によって制御される。これにより、複数の操作ダイヤルを備えている場合も良好な操作性を提供できる。
【０３５０】
［変形例］
《操作ダイヤルの設置数及びレイアウト》
上記のように、操作ダイヤルは複数備えることができる。上記実施の形態では、サブディスプレー１６の各辺に１つの操作ダイヤルを配置する構成としているが、１つの辺に複数の操作ダイヤルを配置することもできる。たとえば、カメラボディ１０の背面に２つの操作ダイヤルを並列して配置することもできる。この場合、サブディスプレー１６の後方の縁から２つの操作ダイヤルのイメージ画像が表示される。
【０３５１】
《イメージ画像の表示形態の切り替え》
上記第２の実施の形態のデジタルカメラと同様に、操作ダイヤルに触れている場合と触れていない場合とでサブディスプレー１６に表示される操作ダイヤルのイメージ画像の表示形態を切り替えてもよい。
【０３５２】
図４１は、操作ダイヤルに触れていない場合のサブディスプレーの表示の一例を示す平面図である。同図は、第３操作ダイヤルＤ３に最後に触れた場合のサブディスプレー１６の表示の一例を示している。
【０３５３】
図４１に示すように、いずれの操作ダイヤルにも触れていない場合、各操作ダイヤルＤ１、Ｄ２、Ｄ３のイメージ画像ｉＤ１、ｉＤ２、ｉＤ３は、それぞれ文字盤部分に現在の設定値が大きく表示される。
【０３５４】
これにより、現在の設定を確認しやすくできる。また、設定変更中ではないことをサブディスプレー１６の表示から把握できる。
【０３５５】
《分割表示》
上記第３の実施の形態のデジタルカメラと同様に、いずれの操作ダイヤルにも触れられていない場合、各操作ダイヤルのイメージ画像を分割して表示してもよい。
【０３５６】
図４２は、互いに重なり合う領域で分割して各操作ダイヤルのイメージ画像を表示する場合のサブディスプレーの表示の一例を示す平面図である。
【０３５７】
同図に示すように、各操作ダイヤルＤ１、Ｄ２、Ｄ３のイメージ画像ｉＤ１、ｉＤ２、ｉＤ３は、互いに重なり合う領域で分割して表示される。
【０３５８】
図４３は、互いに重なり合う領域で分割して各操作ダイヤルのイメージ画像を表示する場合において、第３操作ダイヤルへの接触が検出された場合のサブディスプレーの表示の一例を示す平面図である。
【０３５９】
同図に示すように、第３操作ダイヤルＤ３への接触が検出された場合、第３操作ダイヤルＤ３のイメージ画像ｉＤ３が最前面に表示される。
【０３６０】
《一部を固定した表示》
操作ダイヤルが３つ以上備えられる場合は、少なくとも１つの操作ダイヤルのイメージ画像を固定して表示することもできる。この場合、当該操作ダイヤルのイメージ画像は、重ねる順番の切り替えの対象から除外される。操作ダイヤルのレイアウトによっては、固定した方が見やすい場合もあるので、そのような場合は、重ねる順番の切り替えの対象から除外される。この場合、残された操作ダイヤルのイメージ画像で重ねる順番の切り替えが行われる。たとえば、操作ダイヤルを３つ備える場合において、１つのイメージ画像を固定する場合、残り２つの操作ダイヤルのイメージ画像で重ねる順番の切り替えを行う。この場合、固定して表示する操作ダイヤルのイメージ画像を最前面に表示することが好ましい。
【０３６１】
たとえば、図３６及び図３７に示すデジタルカメラ１において、第２操作ダイヤルＤ２のイメージ画像ｉＤ２を固定して表示する場合を考える。この場合、接触の有無に関わらず、第２操作ダイヤルＤ２のイメージ画像ｉＤ２が最前面に表示される（図３９参照）。そして、第１操作ダイヤルＤ１及び第３操作ダイヤルＤ３との間でイメージ画像の重ね合わせの順番の切り替えが行われる。
【０３６２】
たとえば、図３９に示すように、第１操作ダイヤルＤ１への接触が検出された場合は、第３操作ダイヤルＤ３のイメージ画像ｉＤ３の上に第１操作ダイヤルＤ１のイメージ画像ｉＤ１が重ねて表示される。
【０３６３】
図４４は、第３操作ダイヤルに触れた場合のサブディスプレーの表示の一例を示す図である。
【０３６４】
第３操作ダイヤルＤ３への接触が検出された場合は、図４４に示すように、第１操作ダイヤルＤ１のイメージ画像ｉＤ１の上に第３操作ダイヤルＤ３のイメージ画像ｉＤ３が重ねて表示される。
【０３６５】
このように、カメラボディに操作ダイヤルが３つ以上備えられる場合は、少なくとも１つの操作ダイヤルのイメージ画像を固定して表示してもよい。操作ダイヤルによっては、サブディスプレー１６へのレイアウトの仕方などによって、固定して表示した方がよい場合もあるので、そのような場合は、イメージ画像を固定して表示する。
【０３６６】
なお、上記の例では、最前面に固定して表示しているが、レイアウトによっては、最下層に表示した方がよい場合もあるので、固定する位置（層）は特に限定されるものではない。適宜設定できる。また、この固定するイメージ画像をユーザーが選択できる構成としてもよい。
【０３６７】
《イメージ画像の表示形態の変形例》
上記第２の実施の形態の変形例として説明したように、最前面に表示されるイメージ画像以外は、その文字盤部分の表示が隠れないように、イメージ画像の表示形態を切り替えることが好ましい。すなわち、他の操作ダイヤルのイメージ画像が重ねられる領域を避けて現在の設定値を文字盤部分に表示する。
【０３６８】
図４５は、他の操作ダイヤルのイメージ画像が重ねられる領域を避けて現在の設定値を文字盤部分に表示する場合のイメージ画像の表示の一例を示す図である。
【０３６９】
同図は、互いに重なり合う領域で分割して各操作ダイヤルのイメージ画像を表示する場合において、第３操作ダイヤルへの接触が検出された場合の表示の一例を示している。同図に示すように、第２操作ダイヤルＤ２のイメージ画像ｉＤ２に関して、他の操作ダイヤルのイメージ画像が重ねられる領域を避けて現在の設定値を文字盤部分に表示している。第１操作ダイヤルＤ１のイメージ画像ｉＤ１に関しては、現在の設定値が視認可能であるため、表示形態の切り替えを行っていない（図４３参照）。
【０３７０】
このように、下側に隠れるイメージ画像については、重なる領域を避けて、現在の設定値を文字盤部分に表示することにより、現在の設定値を容易に確認できる。これにより、より操作性を向上できる。
【０３７１】
〔その他の実施の形態〕
［操作に基づく切り替え］
上記実施の形態では、操作ダイヤルへの接触を検出し、最後に接触が検出された操作ダイヤルのイメージ画像が最前面に表示されるように表示を制御しているが、操作ダイヤルに対する操作を検出し、最後に操作された操作ダイヤルのイメージ画像が最前面に表示されるように表示を制御してもよい。この場合、操作ダイヤルに触れても重ね合わせの順番は変わらず、実際に操作すると、重ね合わせの順番が切り替わる。
【０３７２】
［表示部の他の実施の形態］
上記実施の形態では、表示部を構成するサブディスプレーを反射型のＬＣＤで構成しているが、表示部を構成するディスプレーは、これに限定されるものではない。この他、たとえば、電子ペーパー、メモリ液晶ディスプレー、有機ＥＬディスプレー（EL:ElectroLuminescent）等の自発光式ディスプレー等でディスプレーを構成することもできる。
【０３７３】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であっても表示部の表示を確認できる。
【０３７４】
また、サブディスプレーをＬＣＤで構成する場合、反射型ＬＣＤで構成することにより、明るい環境でも良好な視認性を確保できる。なお、ディスプレーを反射型ＬＣＤで構成する場合、照明を備えることが好ましい。
【０３７５】
［操作ダイヤルの他の実施の形態］
操作ダイヤルをカメラボディに内蔵し、その外周の一部をカメラボディから露出して配置する場合、操作ダイヤルに押込み操作の機能を備えてもよい。押込み操作とは、操作ダイヤルを軸と直交する方向に押し込む操作のことである。
【０３７６】
操作ダイヤルの操作に基づいて、サブディスプレーの表示を制御する場合、操作ダイヤルに対する押込み操作に基づいて、サブディスプレーの表示を切り替える構成としてもよい。
【０３７７】
［接触を検出する手段の他の例］
上記実施の形態では、操作ダイヤルの接触を検出する手段として、タッチセンサーを使用しているが、操作ダイヤルへの接触を検出する手段は、これに限定されるものではない。たとえば、操作ダイヤルに対して指が一定距離近づいたことを非接触式のセンサーで検出して、間接的に操作ダイヤルへの指の接触を検出する構成としてもよい。
【０３７８】
図４６は、第１操作ダイヤルへの指の近接を検出するセンサーを備えたデジタルカメラの背面図である。
【０３７９】
同図に示すように、第１操作ダイヤルＤ１の近傍に指の近接を検出するセンサーＳＤ１が備えられる。センサーＳＤ１は、たとえば、近接センサーで構成される。近接センサーの方式は、誘導型、静電容量型、超音波型、電磁波型、赤外線型など、いずれの方式でもよい。センサーＳＤ１は、指が一定距離以上近づくと、オンになる。したがって、センサーＳＤ１がオンになったことを検出することにより、第１操作ダイヤルＤ１に指が近接したことを検出できる。
【０３８０】
他の操作ダイヤルについても同様に指の近接を検出するセンサーを設置して、間接的に指の接触を検出する構成とすることができる。
【０３８１】
［カメラの他の実施の形態］
上記実施の形態では、本発明をデジタルカメラに適用した場合を例に説明したが、本発明の適用は、これに限定されるものではない。銀塩フイルムを使用したカメラにも同様に適用できる。この他、回転式の操作ダイヤルを組み込んだ電子機器にも適用できる。
【０３８２】
また、上記実施の形態では、レンズ交換式のカメラに本発明を適用した場合を例に説明したが、レンズ一体式のカメラにも同様に適用できる。
【０３８３】
更に、上記実施の形態では、ノンレフレックス型のカメラに本発明を適用した場合を例に説明したが、レフレックス型のカメラにも同様に適用できる。
【０３８４】
また、表示に関わる機能をコンピューターに実現させるプログラムは、表示制御プログラムとして、たとえば、コンピューターで読み取り可能な記録媒体に格納して単独で提供することもできる。
【符号の説明】
【０３８５】
１  デジタルカメラ
２  レンズ
２ａ  レンズ駆動部
１０  カメラボディ
１２  レンズマウント
１４  メインディスプレー
１６  サブディスプレー
１８  電子ビューファインダー
２０  ホットシュー
２２  グリップ
２４  サムレスト
３０  シャッターボタン
３１  電源レバー
３４  再生ボタン
３５  消去ボタン
３６  ＡＦロックボタン
３７  ＡＥロックボタン
３８  メニューボタン
３９  セレクターボタン
４０  表示ボタン
４１  モードダイヤル
４１ａ  指標
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  メインディスプレー駆動部
７２  サブディスプレー駆動部
７４  操作部
７８  メモリーカード
８０  システムコントローラー
１１０  操作対象設定部
１１２  設定変更部
１１４  サブディスプレー表示制御部
Ｄ１  第１操作ダイヤル
Ｄ１ａ  第１操作ダイヤル操作検出部
Ｄ１ｂ  第１操作ダイヤルタッチセンサー
Ｄ１ｏ  回転軸
Ｄ２  第２操作ダイヤル
Ｄ２ａ  第２操作ダイヤル操作検出部
Ｄ２ｂ  第２操作ダイヤルタッチセンサー
Ｄ２ｏ  回転軸
Ｄ３  第３操作ダイヤル
Ｌ  光軸
ＳＤ１  センサー
ｉ１  シャッタースピードの情報
ｉ２  絞り値の情報
ｉ３  ＩＳＯ感度の情報
ｉ４  露出補正量の情報
ｉ５  撮影可能枚数の情報
ｉ６  バッテリー残量の情報
ｉＣ  カメラの設定内容
ｉＤ  操作ダイヤルのイメージ画像
ｉＤ１  第１操作ダイヤルのイメージ画像
ｉＤ１ａ  第１操作ダイヤルのイメージ画像
ｉＤ１ｂ  第１操作ダイヤルのイメージ画像
ｉＤ２  第２操作ダイヤルのイメージ画像
ｉＤ２ａ  第２操作ダイヤルのイメージ画像
ｉＤ２ｂ  第２操作ダイヤルのイメージ画像
ｉＤ３  第３操作ダイヤルのイメージ画像
ｉＩ  指標のイメージ画像
ｒ  操作ダイヤルの回転方向
Ｓ１１〜Ｓ１４  操作ダイヤルのイメージ画像の重ね合わせの切り替えの処理手順
Ｓ２１〜Ｓ２６  操作ダイヤルのイメージ画像の表示処理の手順
【図１】
0006506481.tif 000002
【図２】
0006506481.tif 000003
【図３】
0006506481.tif 000004
【図４】
0006506481.tif 000005
【図５】
0006506481.tif 000006
【図６】
0006506481.tif 000007
【図７】
0006506481.tif 000008
【図８】
0006506481.tif 000009
【図９】
0006506481.tif 000010
【図１０】
0006506481.tif 000011
【図１１】
0006506481.tif 000012
【図１２】
0006506481.tif 000013
【図１３】
0006506481.tif 000014
【図１４】
0006506481.tif 000015
【図１５】
0006506481.tif 000016
【図１６】
0006506481.tif 000017
【図１７】
0006506481.tif 000018
【図１８】
0006506481.tif 000019
【図１９】
0006506481.tif 000020
【図２０】
0006506481.tif 000021
【図２１】
0006506481.tif 000022
【図２２】
0006506481.tif 000023
【図２３】
0006506481.tif 000024
【図２４】
0006506481.tif 000025
【図２５】
0006506481.tif 000026
【図２６】
0006506481.tif 000027
【図２７】
0006506481.tif 000028
【図２８】
0006506481.tif 000029
【図２９】
0006506481.tif 000030
【図３０】
0006506481.tif 000031
【図３１】
0006506481.tif 000032
【図３２】
0006506481.tif 000033
【図３３】
0006506481.tif 000034
【図３４】
0006506481.tif 000035
【図３５】
0006506481.tif 000036
【図３６】
0006506481.tif 000037
【図３７】
0006506481.tif 000038
【図３８】
0006506481.tif 000039
【図３９】
0006506481.tif 000040
【図４０】
0006506481.tif 000041
【図４１】
0006506481.tif 000042
【図４２】
0006506481.tif 000043
【図４３】
0006506481.tif 000044
【図４４】
0006506481.tif 000045
【図４５】
0006506481.tif 000046
【図４６】
0006506481.tif 000047